(57)【要約】【課題】運転情報を表示するための表示装置と充電モジュールとを備え、部品の故障を防止し、ユーザーを事故から保護することのできる空気清浄機を提供する。【解決手段】空気清浄機は、空気清浄機のキャビネットの前面パネルとキャビネットの上部パネルとの間に取り付けられたディスプレイを含む。前面パネルは、ディスプレイの方へキャビネットに引き込まれるか、またはディスプレイから離れてキャビネットから引き出されるように構成され、支持されたドアを含む。ディスプレイを含む表示モジュールが上部パネルの下に配置されている。【選択図】図１
2020016433.tif 000002
【特許請求の範囲】
【請求項１】
空気清浄機であって、
側面パネルと、前記側面パネルの上側に配置された上部パネルとを含む、キャビネットと、
前記側面パネルと前記上部パネルの前に配置された前面パネルと、
前記キャビネットの内部に設置され、前記上部パネルの下に位置決めされた電気板と、
前記電気板の下に形成された空調空間と、
前記空調空間内に収容されたエアフィルターと、
前記空調空間内に収容された送風ファンと、
前記電気板上に設置され、ユーザー入力メニューを備えたディスプレイを含む表示モジュールと備えてなり、
前記ディスプレイが、前記前面パネルと前記上部パネルとの間に配置されてなる、空気清浄機。
【請求項２】
前記キャビネットが、前記前面パネルの後面と前記上部パネルの前面との間の凹んだ空間として画定されるディスプレイ溝を備え、
前記ディスプレイが前記ディスプレイ溝の下部に配置されている、請求項１に記載の空気清浄機。
【請求項３】
前記電気板が、
複数の電気部品が設置されている電気ベースと、
前記電気ベースの縁部に沿って上方に延在し、前記表示モジュールを支持するベース支持体とを備えてなる、請求項１に記載の空気清浄機。
【請求項４】
前記ディスプレイが前記電気ベースの前端に沿って配置されてなる、請求項３に記載の空気清浄機。
【請求項５】
前記前面パネルが引き出しに結合されており、前記引き出しが前方または後方への移動のために構成され、支持されており、
前記表示モジュールが、前記引き出しから離れるかまたは前記引き出しの移動と同じ方向で前後方向に移動可能なものである、請求項１に記載の空気清浄機。
【請求項６】
前記表示モジュールが、
ディスプレイプリント回路基板（ＰＣＢ）が設置されたディスプレイ取付部と、
前記ディスプレイ取付部の上側に設けられたディスプレイカバーとを備えてなる、請求項１に記載の空気清浄機。
【請求項７】
前記表示モジュールが前記ディスプレイカバーから後方に突出する案内突起を更に備えてなり、
前記案内突起が前記電気板から上方に突出する案内リブに挿入されてなる、請求項６に記載の空気清浄機。
【請求項８】
前記案内突起にばねがはめ込まれており、
前記ばねの一端が前記ディスプレイカバーによって支持され、他端が前記案内リブによって支持されてなる、請求項７に記載の空気清浄機。
【請求項９】
前記表示モジュールが、前記ディスプレイカバー内に形成され、前後方向に延在するガイドスリットを更に備えてなり、
前記ガイドスリットにねじが挿入され、前記電気板上に設けられた締結ボスによって締結されてなる、請求項６に記載の空気清浄機。
【請求項１０】
前記表示モジュールの前方移動速度を調整するように構成されたダンパーアセンブリを更に備えてなる、請求項１に記載の空気清浄機。
【請求項１１】
前記電気板がドレンポートを備え、
前記電気板の少なくとも一部が前記ドレンポートに向かって下方に延在するものである、請求項１に記載の空気清浄機。
【請求項１２】
空気清浄機であって、
側面パネルと、前記側面パネルの前に配置された前面パネルと、前記側面パネルの上に配置された上部パネルとを備えた、キャビネットと、
前記キャビネットの内部に設置され、前記上部パネルの下に位置決めされた電気板と、
前記電気板の下に形成された空調空間と、
前記空調空間内に配置された送風ファンと、
前記上部パネルの後側に配置され、前記送風ファンを通過する空気を排出するように構成された排出ユニットと、
前記電気板によって支持され、前記上部パネルの下面に設置された無線充電モジュールとを備えてなる、空気清浄機。
【請求項１３】
前記上部パネルが、前記無線充電モジュールに対応する位置に形成され、前記無線充電モジュールに隣接した放熱空間を形成するように前記上部パネルの前記下面から上方に凹んだ充電溝を備えてなる、請求項１２に記載の空気清浄機。
【請求項１４】
前記上部パネルが、前記充電溝から下方に突出し、前記無線充電モジュールの上面と接触する加圧リブを更に備えてなる、請求項１３に記載の空気清浄機。
【請求項１５】
前記上部パネルが、前記無線充電モジュールの上に配置され、モバイル装置の無線充電領域を表示するシートを更に備えてなる、請求項１２に記載の空気清浄機。
【請求項１６】
前記無線充電モジュールが、空気が排出されない前記排出ユニットの一部の前に配置されてなる、請求項１２に記載の空気清浄機。
【請求項１７】
前記無線充電モジュールが、
コイルアセンブリを含むモジュール本体と、
前記モジュール本体の下に配置された下側ケースと、
前記モジュール本体の上側に配置され、前記上部パネルの下面と接触する上側ケースとを備えてなる、請求項１２に記載の空気清浄機。
【請求項１８】
前記無線充電モジュールの前記コイルアセンブリが、
前後方向に配置された２つの下部コイルと、
前記２つの下部コイルの上側と重なる１つの上部コイルとを備えてなる、請求項１７に記載の空気清浄機。
【請求項１９】
空気清浄機であって、
キャビネットと、
前記キャビネットの前面を選択的に開閉するように構成され、支持されたドアと、
前記ドアから後方に間隔をおいて配置され、前記キャビネットの上面を画定する上部パネルと、
前記上部パネルの前面と前記ドアの後面とを分離する空間として画定されたディスプレイ溝を通して前記キャビネットの外部に露出される表示モジュールとを備え、
前記上部パネルが、前記上部パネルの前記前面から後方に凹んだ前溝を備えてなる、空気清浄機。
【請求項２０】
前記上部パネルの下に配置された電気板を更に備え、
前記表示モジュールが、
前記電気板の前端の前支持部によって支持されるディスプレイ取付部と、
前記ディスプレイ取付部の上側に結合されたディスプレイカバーとを備えてなる、請求項１９に記載の空気清浄機。
【発明の詳細な説明】
【技術分野】
【０００１】
本発明は、空気清浄機に関する。
【背景技術】
【０００２】
空気清浄機は、汚染空気を吸い込んで汚染空気を浄化し、次いで清浄空気を排出する装置として理解される。例えば、空気清浄機は、空気清浄機の内部に外気を導入する送風装置と、空気中の塵埃や細菌などをろ過することができるフィルターとを含み得る。
【０００３】
近年、空気清浄機を家具の一種として認識し、空気清浄機と周囲の家具との調和を重視するように設計された空気清浄機が開発されている。特に、空気清浄機が寝室に設けられる場合、その外観パネルがワードローブやベッドとの調和を重視して木材で作られた空気清浄機が提案される。
【０００４】
空気清浄機は一般的な家具と同様の引き出し式のドアを含んでいてもよく、このドアは開けることができ、空気清浄機の内部構成部品を清掃または交換することができる。
【０００５】
さらに、空気清浄機の上面を平らにして収納スペースとして使用することができる。例えば、本や身の回り品を空気清浄機の上面に収納することもでき、または空気清浄機の上面をテーブルのような目的に使用することもできる。
【０００６】
このような空気清浄機に関して、以下の関連技術文献が開示されている。
１．中国公開番号（公開日）：中国実用新案第２０３２７４１８４号（２０１３年１１月６日）
２．発明の名称：室内空気清浄機のケーシング
【０００７】
上述した関連技術文献によれば、以下の問題が存在し得る。
【０００８】
第１に、空気清浄機は家具などの外観を備えて構成されているので、空気清浄機の運転情報を表示するためのディスプレイを構成して配置することは容易ではない。ユーザーが所定のコマンドを入力することを可能にする入力ユニットを構成して配置することは容易ではない。
【０００９】
第２に、空気清浄機が収納場所または食卓に使用される場合、空気清浄機に水または飲料が注入され、空気清浄機に流入する可能性がある。この場合、導入された流体が原因で空気清浄機の駆動部品または電気部品装置が故障する可能性がある。
【００１０】
第３に、空気清浄機のドアが引き出し式として構成されている場合、空気清浄機のフィルターなどを交換するためにドアが開けられ、次いでドアが閉められるときにユーザーの手が巻き込まれる事故が発生し得る。
【先行技術文献】
【特許文献】
【００１１】
【特許文献１】中国実用新案第２０３２７４１８４号明細書
【発明の概要】
【発明が解決しようとする課題】
【００１２】
本発明の一実施形態の目的は、空気清浄機の上部に表示装置を設けることにより、空気清浄機の運転情報および入力操作の確認を容易にする空気清浄機を提供することである。
【００１３】
加えて、本発明の別の目的は、空気清浄機の上部に電気部品ユニットを有し、電気部品ユニットが上部パネルによって保護されるように、電気部品ユニット上に上部パネルを有する空気清浄機を提供することである。
【００１４】
加えて、本発明の別の目的は、複数の電気部品が設置された電気板が特定の方向で下方に傾斜するように形成されており、電気板の下にドレンポートが形成されており、それによって、たとえ流体が電気部品ユニットの内部に注入されたとしてもドレンポートを通して流体を排出することができる空気清浄機を提供することである。
【００１５】
加えて、本発明の別の目的は、ドアが配置された空気清浄機の前部構造を移動可能に備えた空気清浄機を提供することである。
【００１６】
加えて、本発明の別の目的は、たとえドアが閉められるときにユーザーの手がドアに巻き込まれたとしてもユーザーの手と接触する構造がドアから離れるのでユーザーを保護することができる空気清浄機を提供することである。
【００１７】
加えて、本発明の別の目的は、前後方向に移動する際の揺れを防止するための案内構造を有する空気清浄機を提供することである。
【００１８】
加えて、本発明の別の目的は、空気清浄機に有線充電モジュールおよび無線充電モジュールを設けることにより、電子装置を充電することができる空気清浄機を提供することである。
【課題を解決するための手段】
【００１９】
上記の目的を達成するために、本発明の一実施形態による空気清浄機は、前面パネルと上部パネルとの間にディスプレイを含む。
【００２０】
前面パネルは、ディスプレイの方へ引き込まれるかまたはディスプレイから引き出されるドアを含む。
【００２１】
ディスプレイを含む表示モジュールが上部パネルの下に配置されている。
【００２２】
表示モジュールは、空気清浄機の上部に配置された電気板上に設置され得る。
【００２３】
フィルターおよびファンが配置された空調空間が電気板の下側に形成されており、電気板上に電気ユニットが形成されている。
【００２４】
表示モジュールは後方へ引き込まれ得るか、または前方へ引き出される方向に移動され得る。
【００２５】
表示モジュールは、表示モジュールの前後移動を案内するための案内突起を含む。
【００２６】
電気板は、案内突起が挿入される案内リブを含む。
【００２７】
案内突起は、弾性力を提供するためのばねをさらに備え得る。
【００２８】
表示モジュールは、表示モジュールの前方移動速度下げるためのダンパーをさらに含む。
【００２９】
ダンパーは、電気板のダンパーガイドとかみ合わされたギアを含む。
【００３０】
電気板は後へと下方に傾斜している。
【００３１】
電気板はドレンポートに向かって後へと下方に傾斜している。
【００３２】
上部パネルには無線充電モジュールが設置されている。
【００３３】
無線充電モジュールは、３つのコイルで構成されたコイルアセンブリを含む。
【００３４】
３つのコイルは、２つの下部コイルと、２つの下部コイルの上側に重なる１つの上部コイルとを含む。
【００３５】
別の態様では、本発明の一実施形態による空気清浄機は、キャビネットから引き出されるように結合されたドアと、キャビネットの上面間に設けられたディスプレイとを含んでいてもよく、ユーザーの識別および入力メニューの操作を容易にすることができる。
【００３６】
空気清浄機は、キャビネットの前面を選択的に開閉するためのドアと、ドアから後方へ間隔をおいて配置され、キャビネットの上面を形成する上部パネルとを含み得る。
【００３７】
空気清浄機は、上部パネルの前面とドアの後面との間に分離された空間として画定されるディスプレイ溝を通して外部に露出される表示モジュールを含み得る。
【００３８】
加えて、ドアは、キャビネットの前部から引き出されるかまたは引き込まれるように構成され得る。
【００３９】
加えて、ドアは、空気を浄化するためのエアフィルターおよび空気を加湿するための加湿フィルターを備え得る。
【００４０】
加えて、表示モジュールの前面はドアの後面と接触し得る。表示モジュールは、前後方向に移動可能であり得る。したがって、たとえユーザーの手が巻き込まれたとしても、ユーザーの手は表示モジュールが後方へ移動することによって傷つけられない。
【００４１】
加えて、上部パネルは、上部パネルの前面から後方へ切断することによって形成された前溝を含み得る。前溝は、表示モジュールが移動可能な後退空間を形成し得る。したがって、凹んだ空間によって妨害されずに表示モジュールを後方へ移動させることができる。
【００４２】
加えて、空気清浄機は、上部パネルの下に配置された電気板をさらに含み得る。表示モジュールは、電気板に移動可能に結合され得る。
【００４３】
加えて、電気板は、前端部を構成する前部支持体を含み得る。
【００４４】
加えて、表示モジュールは、前部支持体によって支持されるディスプレイ取付部と、ディスプレイ取付部の上側に結合されたディスプレイカバーとを含み得る。
【００４５】
加えて、ディスプレイカバーは、ディスプレイ溝を通して露出される第１のカバー部と、第１のカバー部の後側まで延在し、電気板との接触を案内するくぼみを含む第２のカバー部とを含み得る。
【００４６】
加えて、くぼみは、表示モジュールの前後移動速度を調整するためのダンパーアセンブリとの連結を案内するための第１のくぼみと、垂直方向と両側方向との表示モジュールの移動を制限するための締結部材を貫通する第２のくぼみとを含み得る。
【００４７】
加えて、前後方向に延在する開口であるガイドスリットが第２のくぼみに形成されている。締結部材は、ガイドスリットに挿入され、電気板に結合され得る。
【００４８】
ダンパーアセンブリは、第１のくぼみの下端に結合され、ギアを有するダンパーと、電気板上に設けられ、ギアとかみ合うダンパーガイドと、をさらに含み得る。
【００４９】
加えて、ダンパーはロータリーオイルダンパーを含み得る。
【００５０】
加えて、表示モジュールは、ディスプレイ取付部に配置され、ＬＥＤデバイスを有するディスプレイＰＣＢをさらに含み得る。
【００５１】
加えて、表示モジュールは、ＬＥＤ素子に対応するようにディスプレイＰＣＢの上に配置された反射器をさらに含み得る。
【００５２】
別の態様では、本発明の一実施形態による空気清浄機は、ドアが前後方向に移動するように構成されている場合、ドアの上部をつかむユーザーの手がディスプレイの前部に接する可能性があり、よって、ディスプレイを前後方向に移動させることによってユーザーに及ぼす衝撃を低減させることが可能であるように提案される。
【００５３】
空気清浄機は、側面パネルと側面パネルの上側に設けられた上部パネルとを含むキャビネットと、側面パネルと上部パネルの前に配置された前面パネルと、キャビネットの内部に設置され、上部パネルの下に位置決めされた電気板と、電気板の下に形成され、エアフィルターと送風ファンとを有する空調空間と、電気板上に設置され、ユーザー入力メニューを備えたディスプレイを含む表示モジュールと、を含み得る。
【００５４】
ディスプレイは、前面パネルと上部パネルとの間に配置され得る。
【００５５】
加えて、キャビネットは、前面パネルの後面と上部パネルの前面との間の凹んだ空間として画定されるディスプレイ溝を含み得る。
【００５６】
加えて、ディスプレイは、ディスプレイ溝の下部に配置され得る。
【００５７】
加えて、電気板は、複数の電気部品が設置された電気ベースと、電気ベースの縁部に沿って上方に延在するベース支持体とを含み得る。ベース支持体は表示モジュールを支持し得る。
【００５８】
加えて、ディスプレイは、電気ベースの前端に沿って配置され得る。
【００５９】
加えて、前面パネルは、前方または後方へ移動可能に設けられた引き出しに結合され得る。表示モジュールは、引き出しから離れる方向に移動可能であり得る。
【００６０】
加えて、表示モジュールは、ディスプレイＰＣＢが設置されたディスプレイ取付部と、ディスプレイ取付部の上側に設けられたディスプレイカバーとを含み得る。
【００６１】
加えて、表示モジュールは、ディスプレイカバーから後方に突出する案内突起をさらに含み得る。また、案内突起は、電気板から上方に突出する案内リブに挿入され得る。
【００６２】
加えて、ディスプレイカバーは、ディスプレイＰＣＢの第１の部分を覆い、ディスプレイを構成する第１のカバー部と、第１のカバー部の後側まで延在し、ディスプレイＰＣＢの第２の部分を覆う第２のカバー部とを含み得る。
【００６３】
加えて、案内突起は、第２のカバー部の中央部から後方に延在する第１の案内突起と、第１のカバー部の両側部から後方に延在する第２の案内突起とを含み得る。
【００６４】
加えて、案内突起にはばねがはめ込まれ得る。ばねの一端はディスプレイカバーによって支持され、他端は案内リブによって支持され得る。
【００６５】
加えて、表示モジュールは、ディスプレイカバー内に形成され、前後方向に延在するガイドスリットをさらに含み得る。
【００６６】
ガイドスリットにはねじが挿入され得る。電気板上に設けられた締結ボスをねじに結合することができる。
【００６７】
ねじの頭部には座金が結合され、座金の直径Ｄ１はガイドスリットの幅Ｄ２より大きくなるように形成され得る。
【００６８】
電気板は、ディスプレイカバーに結合されたダンパーアセンブリをさらに含み、表示モジュールの前方速度を調整するダンパーアセンブリをさらに含み得る。
【００６９】
加えて、電気板はドレンポートをさらに含み得る。
【００７０】
加えて、電気板はドレンポートに向かって下方に延在し得る。
【００７１】
加えて、電気板は、複数の電気部品が設置された電気ベースと、電気ベースの縁部に沿って上方に延在するベース支持体とを含み得る。ドレンポートはベース支持体内に形成され得る。
【００７２】
別の態様では、本発明の一実施形態による空気清浄機は、ユーザーが空気清浄機で電子装置を容易に充電できるように電子装置を空気清浄機上に保持するために有線および／または無線充電モジュールが設けられ得るように提案され得る。
【００７３】
加えて、空気清浄機から排出される空気の特性を考慮して電子装置の適切な充電位置を案内することができる空気清浄機を提供することが可能である。
【００７４】
空気清浄機は、側面パネルと、側面パネルの前に設けられた前面パネルと、側面パネル上に設けられた上部パネルとを含むキャビネットと、キャビネットの内部に設置され、上部パネルの下に位置決めされた電気板と、電気板の下に形成され、送風ファンを有する空調空間と、上部パネルの後側に配置され、送風ファンを通過する空気を排出する排出ユニットと、電気板によって支持され、上部パネルの下面に設置された無線充電モジュールと、を含み得る。
【００７５】
無線充電モジュールは、上部パネルの下面と接触し得る。
【００７６】
上部パネルは、無線充電モジュールに対応する位置に形成され、無線充電モジュールの放熱空間を形成するように下面から上方に凹んだ充電溝をさらに含み得る。
【００７７】
加えて、上部パネルは、充電溝から下方に突出し、無線充電モジュールの上面と接触する加圧リブをさらに含み得る。
【００７８】
加えて、上部パネルは、無線充電モジュールの上に配置され、モバイル装置の無線充電領域を表示するシートをさらに含み得る。
【００７９】
加えて、無線充電モジュールは、空気が排出されない排出口の一部の前に配置され得る。
【００８０】
加えて、無線充電モジュールは、コイルアセンブリを備えたモジュール本体と、モジュール本体の下に設けられた下側ケースと、モジュール本体の上側に設けられ、上部パネルの下面と接触する上側ケースと、を含み得る。
【００８１】
加えて、無線充電モジュールのコイルアセンブリは、前後方向に配置された２つの下部コイルと、２つの下部コイルの上側と重なる１つの上部コイルと、を含み得る。
【００８２】
加えて、２つの下部コイルまたは１つの上部コイルは、１２回巻線されたコイル巻線を含み得る。
【００８３】
加えて、下部コイルまたは上部コイルは、長方形、環状、または内側が空のドーナツ形状を有し得る。
【００８４】
加えて、上部コイルの前後方向の幅は、その横方向の幅より大きくなるように形成されており、下部コイルの水平方向の幅は、その前後方向の幅より大きくてもよい。
【００８５】
本発明の実施形態による空気清浄機は以下の効果を有する。
【００８６】
第１に、空気清浄機の上部に表示装置が設けられているので、空気清浄機の運転情報を確認および入力するのが容易である。
【００８７】
加えて、上部パネルと空気清浄機の前面を形成するドアとの間に隙間が形成されており、ディスプレイがこの隙間を通して露出されるので、ユーザーが容易にアクセスすることができるという利点がある。
【００８８】
加えて、電気ユニットが空気清浄機の上部に設けられており、電界装置の上側に上部パネルが設けられているので、上部パネルによって電気ユニットを保護することができる。
【００８９】
加えて、複数の部品が設置された電気板が後側へと下方に傾斜するように形成されており、ドレンポートが電気板の後部に形成されているので、たとえ流体が電気部品に導入されたとしてもドレンポートを通して流体を排出することができる。
【００９０】
加えて、複数のＰＣＢが電気板上に設けられており、ＰＣＢは支持リブによって電気板から上方に間隔をおいて配置されているので、流体がＰＣＢに流入するのを防止することができる。
【００９１】
さらに、表示装置が移動可能に設けられているので、たとえドアが閉められるときにユーザーの手がドアと表示装置との間に巻き込まれたとしても、前部はドアから離れる方向に移動し、それによって手が傷つくのを防止する。
【００９２】
特に、ドアは前後方向に引かれるように構成されており、表示装置を前後方向に移動させることができ、それによってユーザーに及ぼす衝撃が低減される。
【００９３】
加えて、電子装置を充電するために空気清浄機に充電モジュールが設けられ得る。
【００９４】
特に、空気清浄機に無線充電モジュールが設けられているので、空気清浄機に電子装置を取り付けることによって容易に充電を行うことができる。
【００９５】
空気清浄機は有線充電モジュールを備えているので、配線によって電子装置をＵＳＢポートに接続することができ、それによって充電が容易になる。
【図面の簡単な説明】
【００９６】
【図１】本発明の一実施形態による空気清浄機の構成を示す斜視図である。
【図２】本発明の一実施形態による空気清浄機のドアが開いた状態を示す図である。
【図３】本発明の一実施形態による空気清浄機の構成を示す分解斜視図である。
【図４】本発明の一実施形態による空気清浄機の一部の構成を示す分解斜視図である。
【図５】図１の線Ｖ−Ｖ’に沿った断面図である。
【図６】本発明の一実施形態による空気清浄機の上面の一部の構成を示す平面図である。
【図７】本発明の一実施形態による空気清浄機の上部パネルが開いた状態を示す図である。
【図８】一実施形態による電気部品ユニットの構成を示す斜視図である。
【図９】一実施形態による電気部品ユニットの構成を示す平面図である。
【図１０】本発明の一実施形態による表示モジュールが電気板に設置された状態を示す断面図である。
【図１１】本発明の一実施形態による表示モジュールが電気部品ユニットから取り外された状態を示す断面図である。
【図１２】本発明の一実施形態による表示モジュールの分解斜視図である。
【図１３】本発明の一実施形態によるディスプレイカバーの構成を示す正面図である。
【図１４】本発明の一実施形態によるディスプレイカバーの構成を示す底面図である。
【図１５】本発明の一実施形態による空気清浄機にユーザーの手が巻き込まれた状態を示す図である。
【図１６】本発明の一実施形態による後方へ移動された表示モジュールを示す平面図である。
【図１７ａ】本発明の一実施形態による後方へ移動された表示モジュールを示す側面図である。
【図１７ｂ】本発明の一実施形態による前方へ移動された表示モジュールを示す図である。
【図１８】本発明の一実施形態による複数のＰＣＢと電気板との構成を示す分解斜視図である。
【図１９】本発明の一実施形態による無線充電モジュールが電気板に結合された状態を示す平面図である。
【図２０】本発明の一実施形態による無線充電モジュールと電気板との構成を示す分解斜視図である。
【図２１】本発明の一実施形態による電気板のドレンポートを示す分解斜視図である。
【図２２】本発明の一実施形態による上部パネルの底面図である。
【図２３】図３の線Ａ−Ａ’に沿った断面図である。
【図２４】本発明の一実施形態による無線充電モジュールの構成を示す分解斜視図である。
【図２５】本発明の一実施形態によるコイルアセンブリの構成を示す図である。
【図２６】本発明の一実施形態による下部コイルの構成を示す図である。
【図２７】本発明の一実施形態による上部コイルの構成を示す図である。
【図２８】本発明の一実施形態によるモバイル装置が上部パネルの上側に取り付けられ、無線充電が行われる状態を示す概略図である。
【図２９】本発明の一実施形態による流体が上部パネルの下側に流入する状態を示す図である。
【図３０】本発明の一実施形態による空気清浄機における内部排水流路を示す図である。
【発明を実施するための形態】
【００９７】
次に、その例が添付の図面に示されている本開示の実施形態を詳細に参照する。
【００９８】
好ましい実施形態の以下の詳細な説明では、本発明が実施され得る特定の好ましい実施形態が例示されている、本明細書の一部を形成する添付の図面を参照する。これらの実施形態は当業者が本発明を実施することを可能にするのに十分なほど詳細に説明されており、他の実施形態も利用され得ること、ならびに本発明の趣旨または範囲を逸脱することなく論理的変更、構造的変更、機械的変更、電気的変更および化学的変更がなされ得ることを理解されたい。当業者が本発明を実施することを可能にするのに不要な詳細を回避するために、説明では当業者に既知の特定の情報を省く場合がある。したがって、以下の詳細な説明は、限定的な意味で理解されるべきではない。
【００９９】
また、実施形態の説明において、本発明の構成要素を説明するときに本明細書では第１、第２、Ａ、Ｂ、（ａ）、（ｂ）などの用語が使用され得る。これらの用語の各々は、対応する構成要素の本質、順序、または連続を定義するために使用されるのではなく、単に対応する構成要素を他の（１つまたは複数の）構成要素と区別するために使用される。
【０１００】
図１は、本発明の一実施形態による空気清浄機の構成を示す斜視図であり、図２は、本発明の一実施形態による空気清浄機のドアが開いた状態を示す図である。
【０１０１】
図１および図２を参照すると、本発明の一実施形態による空気清浄機１０は、外観を形成するキャビネット１００と、キャビネットから引き出すことができるようにキャビネット１００に結合されたドアアセンブリ２００とを含む。
【０１０２】
キャビネット１００は、複数のパネルで構成されたパネルアセンブリを含む。
【０１０３】
複数のパネルは、下部ベース１０１と、ベース１０１の両側に設けられ上方に延在する２枚の側面パネル１０３と、２枚の側面パネル１０３の上側に結合された上部パネル１０５と、２枚の側面パネル１０３の後側に結合された後面パネル１０７とを含む。
【０１０４】
ベース１０１と、２枚の側面パネル１０３と、上部パネル１０５と、後面パネル１０７とにより、キャビネット１００は、前方に開く直方体の形状を有し得る。
【０１０５】
複数のパネルは木材で作られ得る。したがって、空気清浄機１０は家具のような美的感覚を与えることができる。言い換えると、外観を高めることができる。
【０１０６】
キャビネット１００の内部空間には、エアフィルターアセンブリ２８０、加湿フィルターアセンブリ３００、送風ファン（４２０、図５参照）などが配置され得る。エアフィルターアセンブリ２８０および加湿フィルターアセンブリ３００はまとめて「フィルターアセンブリ」と呼ばれ得る。
【０１０７】
ドアアセンブリ２００は、キャビネット１００の前側から引き出されることによって開けられるか、またはキャビネット１００の後側の方へ引き込まれることによって閉められ得る。
【０１０８】
したがって、ドアアセンブリ２００は「ドア」と呼ばれ得る。
【０１０９】
ドアアセンブリ２００は、空気清浄機１０の前面部を構成するドアパネル２１０を含む。ドアパネル２１０は「前面パネル」と呼ばれ得る。
【０１１０】
ドアパネル２１０は、角板の形状を有し得る。ドアアセンブリ２００が閉まった状態では、ドアパネル２１０は空気清浄機１０の外観の前面を形成する。加えて、ドアパネル２１０は家具のような美的感覚を与えることができるように、木材で作られている。
【０１１１】
ドアパネル２１０の下端とベース１０１との間に後方に凹んだ空間を形成するように凹んだ部分３０が形成され得る。
【０１１２】
凹んだ部分３０にはキャビネット１００に空気を吸い込むための空気取入口２２５が形成され得る。例えば、取入口２２５は、引き出し２２０の下面に形成され得る。
【０１１３】
キャビネット１００の上部パネル１０５は、そこを通して清浄空気が排出される排出部１０９を備えて形成されている（図２の矢印参照）。排出部１０９は上部パネル１０５の後側に位置決めされ得る。
【０１１４】
上部パネル１０５は、モバイル装置Ｍの無線充電が行われ得る領域を含む。この領域は排出部１０９の前に位置し得る。
【０１１５】
加えて、この領域は、一方の側面パネル１０３に向かって水平方向に上部パネル１０５の中央部から間隔をあけた位置に形成され得る。
【０１１６】
例えば、上部パネル１０５は四分割され得る。ここで、モバイル装置Ｍの無線充電が行われる領域は、上部パネル１０５の第１象限１０５ｈに形成され得る。
【０１１７】
他方、第１象限１０５ｈの後側に位置決めされた排出部１０９の一部では、ハウジングカバー４３０から延在する案内板４３７のために空気が排出されない。
【０１１８】
詳細には、案内板４３７は、所定の長さだけハウジングカバー４３０の上端に形成され得る。したがって、案内板４３７は、そこを通して送風ファン４２０を通過した空気が排出される排出口４０１の一部を覆い得る。
【０１１９】
例えば、案内板４３７は、ハウジングカバー４３０の前面とファンハウジング４１０の後面の両方と接触するように構成され得る。また、案内板４３７は、ハウジングカバー４３０の右側から所定の長さにわたって延在し得る。
【０１２０】
すなわち、案内板４３７は排出口４０１の右部分を遮蔽することができる。したがって、案内板４３７は、空気の排出方向（図２の矢印を参照されたい）を相対的に上方向へと案内することができる。
【０１２１】
すなわち、案内板４３７は、ベッドやクローゼットなどの室内に設置された空気清浄機１０の使用環境を考慮して、排出部１０９から排出された空気（「排気」）を横に流れないように案内することができる。
【０１２２】
一般に、空気清浄機１０は、室内、ベッドの前、または壁の前に設置され得る。排気の流れが横方向に向けられた場合、部屋の壁面が湿って、かびなどが発生したり、空気の流れがベッドのユーザーに直接到達したりして、不快感を引き起こし得る。したがって、案内板４３７は、ユーザーの睡眠環境および室内衛生環境を考慮して、排出ユニット１０９から排出された空気が相対的に上方向に集中するように案内することができる。
【０１２３】
したがって、モバイル装置Ｍの無線充電領域は、モバイル装置Ｍが湿気を有する加湿空気から保護することができる第１象限１０５ｈに形成されているという点でその他の象限領域に優って有利である。
【０１２４】
モバイル装置Ｍの無線充電領域は、無線充電位置を示すシートＳを備え得る。例えば、シートＳは、ステッカーや柔らかい布を含み得る。シートＳは、上部パネル１０５に取り付けられ得る。
【０１２５】
すなわち、シートＳは、空気が排出されない排出部１０９の前部に取り付けることができる。無線充電モジュール６００は、シートＳの真下に位置決めされ得る。したがって、無線充電モジュール６００は、空気が排出されない排出部１０９の一部の前に位置決めされ得る。
【０１２６】
空気が排出されない排出部１０９の部分は、案内板４３７の上側に対応するように位置決めされた排出部１０９の領域として画定され得る。
【０１２７】
ドアアセンブリ２００は、ドアパネル２１０の後面から後方に延在する引き出し２２０をさらに含む。
【０１２８】
引き出し２２０には空気清浄機１０の構成要素が設置されている。構成要素は、エアフィルターアセンブリ２８０と加湿装置とを含み得る。加湿装置は、加湿フィルターアセンブリ３００と、水槽２６０と、水容器２７０とを含み得る。
【０１２９】
キャビネット１００の前面を開くために前側からドアアセンブリ２００が引き出されると、引き出し２２０内に配置されたエアフィルターアセンブリ２８０、加湿フィルターアセンブリ３００、および水容器２７０を一緒に前方に引き出すことができる。したがって、ユーザーは、エアフィルターアセンブリ２８０、加湿フィルターアセンブリ３００、および水容器２７０に容易にアクセスすることができる。
【０１３０】
ドアアセンブリ２００は、ドアアセンブリ２００をキャビネットから引き出すかまたはキャビネットに引き込む操作を案内するためのレールガイド２３０をさらに含む。レールガイド２３０は引き出し２２０の下部の両側に結合され得る。
【０１３１】
図３は、本発明の一実施形態による空気清浄機の構成を示す分解斜視図であり、図４は、本発明の一実施形態による空気清浄機の一部の構成を示す分解斜視図であり、図５は、図１の線Ｖ−Ｖ’に沿った断面図である。
【０１３２】
図３から図５を参照すると、本発明の一実施形態による空気清浄機１０は、空気をろ過するためのエアフィルターアセンブリ２８０と、空気を加湿するための加湿フィルターアセンブリ３００と、空気の流れを発生させるための送風ファン４２０とを含む。送風ファン４２０にはファンモーター４２５が結合されている。
【０１３３】
詳細には、キャビネット１００は、上述した構成要素が配置されている空間部１１２を形成する本体フレーム１１０を含む。
【０１３４】
本体フレーム１１０は、前面、後面、および上面が開いた六面体形状を有し得る。詳細には、本体フレーム１１０の前面は開いており、開いた前面をドアアセンブリ２００で遮蔽することができる。加えて、本体フレーム１１０の後面も開いており、開いた後面をファンハウジング４１０とハウジングカバー４３０とで遮蔽することができる。加えて、本体フレーム１１０の上面も開いており、開いた上面は電気ユニット４５０によって遮蔽され得る。
【０１３５】
第１のベース１０１は、本体フレーム１１０の構造として理解することができる。
【０１３６】
上部パネル１０５は電気ユニット４５０の上側に結合されており、後面パネル１０７はハウジングカバー４３０の後側に結合されている。
【０１３７】
上部パネル１０５はキャビネット１００の上面を形成し得る。上部パネル１０５は、ドアアセンブリ２００の前面を形成するドアパネル２１０から後方に間隔をおいて配置され得る。例えば、上部パネル１０５の前面１０５ａは、ドアパネルの後面２００ａから後方に間隔をおいて配置され得る。
【０１３８】
２枚の側面パネル１０３、上部パネル１０５、後面パネル１０７、およびドアパネル２１０のうちの少なくとも１枚が木材で作られ得る。したがって、木材の変形を防止し、剛性を保証するために、２枚の側面パネル１０３、上部パネル１０５、後面パネル１０７、およびドアパネル２１０のうちの少なくとも１枚に金属補強フレーム１０５ｅが挿入され得る。
【０１３９】
本体フレーム１１０の両側面には、複数の補強リブ１１１ａ、１１１ｂが設けられ得る。補強リブ１１１ａおよび補強リブ１１１ｂは、横方向に延在する複数の第１の補強リブ１１１ａと、第１の補強リブ１１１ａと交差する方向に延在する複数の第２の補強リブ１１１ｂとを含む。例えば、第２の補強リブ１１１ｂは長手方向に延在し得る。
【０１４０】
加えて、本体フレーム１１０の両側面には、電気ユニット４５０から排出された流体を下方へ案内するための排水流路１１１ｃが形成され得る。排水流路１１１ｃは、第１の補強リブ１１１ａと第２の補強リブ１１１ｂとの間に形成された流路として理解することができる。
【０１４１】
ドアアセンブリ２００は、前面の外観を形成するドアパネル２１０と、ドアパネル２１０の後側まで延在する引き出し２２０とを含む。
【０１４２】
引き出し２２０は、ドアパネル２１０の後面に結合されたドア前部２２１を含む。ドアパネル２１０およびドア前部２２１はまとめて「ドア前部」と呼ばれ得る。
【０１４３】
引き出し２２０は、ドア前面部２２１の両側から後方に延在するドア側面部２２２と、ドア側面部２２２の下に設けられたドア下面部２２４と、ドア下面部２２４の後側から上方に延在するドア後面部２２３とをさらに含む。
【０１４４】
取入口２２５は、ドアの下面部２２４に形成され得る。
【０１４５】
加えて、水槽２６０、水容器２７０、および加湿フィルターアセンブリ３００が設置された設置空間を、引き出し２２０内で、ドア前面部２２１、ドア下面部２２４、ドア側面部２２２、およびドア後面部２２３によって画定することができる。
【０１４６】
例えば、エアフィルターアセンブリ２８０は、引き出し２２０の前部に設置され得る。エアフィルターアセンブリ２８０は、エアフィルターケース２８１と、エアフィルターケース２８１に結合されたエアフィルター２８５とを含み得る。エアフィルターアセンブリ２８０は、上方に持ち上げられ、分離されるように配置され得る。
【０１４７】
水容器２７０は、前後方向に対して、引き出し２２０のほぼ中央部に、すなわち、エアフィルターアセンブリ２８０の後側に配置され得る。
【０１４８】
水容器２７０は、水槽２６０の内部に設置され得る。水容器２７０は、上方に持ち上げられ、水槽２６０から分離されるように配置することができ、ユーザーは水容器２７０を分離して水を補充するかまたは水容器２７０を清掃することができる。加えて、水容器２７０には開閉式の水容器蓋２７１が設けられ得る。
【０１４９】
水容器２７０の下面には水を排出するためのバルブ穴とバルブ穴を選択的に開閉するためのバルブ装置２７６とが設けられ得る。
【０１５０】
バルブ装置２７６は、水容器２７０が水槽２６０に設けられた水容器支持部２６１に配置されるとバルブ穴を開くことができ、バルブ装置２７６は、水容器２７０が水容器支持部２６１から分離されるとバルブ穴を閉じることができる。
【０１５１】
水槽２６０は、上部が開いたほぼ六面体の形状を有し得る。水容器２７０を支持するための水容器支持部２６１は、水槽２６０の下部に含まれる。水容器支持部２６１は平面を形成している。
【０１５２】
水槽２６０は、水容器支持部２６１から下方に突出し、フロート装置２６７が設置された空間を有するフロート収容部２６２をさらに含む。フロート収容部２６２は、内側が空の中空形状を有していてもよく、例えば、フロート収容部２６２は、水容器支持部２６１のほぼ中央部に位置決めされていてもよく、後側の方へ伸びるように延在し得る。
【０１５３】
フロート収容部２６２は水が貯留される第１の貯水部２６２ａを形成しており、フロート装置２６７は、第１の貯水部２６２ａに貯留された水位に従って上下方向に移動されるように設けることができる。このときに、第１の貯水部２６２ａの水位が設定水位以上になると、フロート装置２６７は水容器２７０のバルブ穴を閉じるために上方へ移動することができる。
【０１５４】
水槽２６０にはフロート収容部２６２から後方に延在し、水を貯留する第２の貯水部２２９が形成され得る。第２の貯水部２２９は第１の貯水部と連通し、第１の貯水部と同じ水位を形成し得る。
【０１５５】
加湿フィルターアセンブリ３００は、第２の貯水部２２９に設置され得る。加湿フィルターアセンブリ３００は、引き出し２２０の内部空間の後部に収容され得る。加湿フィルターアセンブリ３００は、水容器２７０の後側に配置され得る。
【０１５６】
加湿フィルターアセンブリ３００は、加湿フィルターケース３１０と、加湿フィルターケース３１０によって回転可能に支持され、水槽２６０に貯留された水を吸収する加湿フィルター３３０とを含む。
【０１５７】
加湿フィルター３３０の下部は、第２の貯水部２２９に浸漬されるように配置され得る。
【０１５８】
加湿フィルター３３０は、ほぼ円形形状を有し、回転可能に設けられ得る。例えば、加湿フィルター３３０は、「水車」の構造と同様の構造を有する。加湿フィルター３３０が上方へ回転すると、第２の貯水部２２９から集められた水が上方へ移動し、加湿フィルター３３０が回転すると、集められた水が重力によって加湿フィルター３３０の中央へ流れる。
【０１５９】
加湿フィルター３３０は、水を吸収しやすい布、フェルト、またはスポンジ材料で作られ得る。
【０１６０】
水槽２６０の後側には、水槽２６０に貯留された水を殺菌するように、水槽２６０の内部に向けて光を照射するための殺菌装置２６９が配置され得る。例えば、殺菌装置２６９は紫外線ＬＥＤを含み得る。
【０１６１】
空気清浄機１０は、キャビネット１００の内部に配置されたハウジングアセンブリ４００をさらに含む。ハウジングアセンブリ４００は、ドアアセンブリ２００の後側に配置され得る。言い換えると、ハウジングアセンブリ４００は、引き出し２２０の後部の後側に配置されている。
【０１６２】
詳細には、ハウジングアセンブリ４００は、空気の流れを発生させるための送風ファン４２０を有するファンハウジング４１０と、送風ファン４２０の前に配置され、空気を吸い込むファン取入口を有するファンハウジング４１０と、ハウジング４１０の後側に結合されたハウジングカバー４３０とを含む。送風ファン４２０は、ファンハウジング４１０とハウジングカバー４３０とによって画定されるファン設置空間に設置され得る。
【０１６３】
送風ファン４２０は、軸方向に空気を吸い込み、半径方向に空気を排出する遠心ファンを含む。例えば、遠心ファンは、シロッコファンを含み得る。送風ファン４２０の軸方向は前後方向であり得る。
【０１６４】
空気清浄機１０は、複数の電気部品を有する電気ユニット４５０をさらに含む。電気ユニット４５０は、本体フレーム１１０の開いた上部を覆う電気板４６０をさらに含み、電気部品を電気板４６０の上面に設置することができる。
【０１６５】
キャビネット１００は、空気を浄化および／または加湿するためにフィルター２８５、３３０および送風ファン４２０が設置された空調空間を含み得る。空調空間にはエアフィルター２８５および／または加湿フィルター３３０が設置され得る。
【０１６６】
キャビネット１００の内部には、電気部品が設置された電気部品空間が含まれる。
【０１６７】
空調空間はおよび電気部品空間は電気板４６０によって垂直方向に仕切られている。すなわち、電気部品空間は電気板４６０の上に位置し、空調空間は電気板４６０の下方に位置し得る。
【０１６８】
電気板４６０は、ハウジングアセンブリ４００の上部から前方に延在し得る。
【０１６９】
上部パネル１０５は、電気部品を保護するために電気板４６０の上側に結合されている。
【０１７０】
上述したように、上部パネル１０５は、木材の変形を防止し、剛性を保証するために補強フレーム１０５ｅを備え得る。
【０１７１】
補強フレーム１０５ｅは、上部パネル１０５の内側面に挿入され得る。すなわち、補強フレーム１０５ｅは、上部パネル１０５の下面から上方に挿入されるように挿入され得る。補強フレーム１０５ｅは、複数の補強フレームとして設けられ得る。
【０１７２】
加えて、上部パネル１０５は、ユーザーの手が巻き込まれるのを防止するように前後方向に移動可能な、表示モジュール５１０の後退空間１０６ａを備えて形成され得る。表示モジュールは、「表示装置」と呼ばれ得る。
【０１７３】
詳細には、上部パネル１０５の下面に、ドアパネル２１０の後面パネル１０７に面した前面１０５ａから後方へ所定の長さを切断することによって前溝１０６が形成され得る。
【０１７４】
すなわち、前溝１０６は、上部パネル１０５の前面１０５ａから後方に凹んだ後退空間１０６ａを形成し得る。例えば、前溝１０６は、上部パネル１０５の下面に「¬形状の」溝を形成し得る。
【０１７５】
上部パネル１０５の前面１０５ａは、「パネル前面１０５ａ」と呼ばれ得る。ドアパネル２１０の後面２００ａは、「ドア後面２００ａ」と呼ばれ得る。
【０１７６】
前溝１０６は、表示モジュール５１０の上面と接触するように形成され得る。したがって、ユーザーの手がドアパネル２１０の後面２００ａと表示モジュール５１０の前面との間に巻き込まれたときに、表示モジュール５１０の上端は前溝１０６に沿って後方へスムーズに移動することができる。したがって、ユーザーの安全事故を防止することができる。
【０１７７】
すなわち、前溝１０６は、表示モジュール５１０が前後方向に移動することができる空間を形成し得る。以後、前溝１０６によって形成される空間は後退空間１０６ａと呼ばれる。
【０１７８】
本体フレーム１１０の内部に、ドアアセンブリ２００を出し入れする操作を案内するためにスライディングレール２３５が設置され得る。
【０１７９】
スライディングレール２３５は、本体フレーム１１０の下部の両側に配置され得る。
【０１８０】
スライディングレール２３５は、本体フレーム１１０の内側面に結合された本体結合部を含み得る。
【０１８１】
スライディングレール２３５の外部にレールカバー２３６が配置されている。レールカバー２３６により、スライディングレール２３５は外部に露出されない。
【０１８２】
ドアアセンブリ２００の両側面に、レールガイド２３０が設けられている。レールガイド２３０は、スライディングレール２３５から引き出すかまたはスライディングレール２３５に引き込むことができるようにスライディングレール２３５に結合されており、前後にスライドさせることができる。
【０１８３】
本体フレーム１１０は、照明装置が設置された照明ブラケット１１６をさらに含む。照明ブラケット１１６は、キャビネット１００のベース１０１の上側に配置され得る。凹んだ部分３０は、ベース１０１と照明ブラケット１１６との間の空間として理解され得る。
【０１８４】
照明装置は、照明源１２２ａを有する照明ＰＣＢ１２２と、照明ＰＣＢ１２２に結合された照明ケース１２４とを含む。複数の照明源１２２ａが設けられ得る。照明ケース１２４は、照明ケース１２４の内部空間を仕切って複数の空間にするための複数の区画を含み、照明源１２２ａは、複数の空間の各々に配置され得る。
【０１８５】
ベース１０１の前部の上面に、反射板１２０が設けられ得る。反射板１２０は、照明源から発せられた光を穏やかに反射または拡散するように設けられ得る。照明源は、反射板１２０の上側に配置されており、光を反射板１２０に向けて下方に照射する。凹んだ部分３０は、照明源と反射板１２０との間に形成され得る。
【０１８６】
図６は、本発明の一実施形態による空気清浄機の上面の一部の構成を示す平面図であり、図７は、本発明の一実施形態による空気清浄機の上部パネルが開いた状態を示す図であり、図８は、一実施形態による電気部品ユニットの構成を示す斜視図であり、図９は、一実施形態による電気部品ユニットの構成を示す平面図であり、図１０は、本発明の一実施形態による表示モジュールが電気板に設置された状態を示す断面図であり、図１１は、本発明の一実施形態による表示モジュールが電気部品ユニットから取り外された状態を示す断面図である。
【０１８７】
図６から図１１を参照すると、本発明の一実施形態による空気清浄機１０は、空気清浄機の運転情報が表示されるディスプレイ５１０ａを含む。
【０１８８】
ディスプレイ５１０ａは、左右方向に延在していてもよく、後述する表示モジュール５１０の上面に設けられ得る。例えば、ディスプレイ５１０ａは、表示モジュール５１０の上面の前端側に設けられ得る。
【０１８９】
ディスプレイ５１０ａは、パネル前面１０５ａとドアのドア後面２００ａとの間の空間において外部に露出され得る。
【０１９０】
ディスプレイ５１０ａは、ユーザー入力を可能にするタッチ部５１０ｂを備え得る。
【０１９１】
空気清浄機１０の運転モードまたは運転機能を設定するために複数のタッチ部５１０ｂが設けられ得る。タッチ部５１０ｂは「入力ユニット」と呼ばれ得る。
【０１９２】
例えば、タッチ部５１０ｂは、「電源入力ユニット」、「浄化強度」、「急速浄化」、「加湿浄化」、「スリープモード」、「空気殺菌」、「ムード照明」、「ロック」などの設定モード（または機能）を行うための複数のユーザー入力メニューを含み得る。
【０１９３】
ユーザーは、複数のユーザー入力メニューのうちの少なくとも１つを手でタッチして選択することができる。
【０１９４】
ディスプレイ５１０ａは、上部パネル１０５とドアアセンブリ２００との間に位置決めされ得る。詳細には、下方に凹んだ空間を形成するようにキャビネット１００の上部にディスプレイ溝１０８が形成されている。
【０１９５】
ディスプレイ溝１０８は、ドアアセンブリ２００の後面２００ａの上端と、ディスプレイ５１０ａの上面と、上部パネル１０５の前面１０５ａとによって画定され得る。すなわち、ディスプレイ溝１０８は、上部パネル１０５とドアアセンブリ２００との間に間隔をおいて配置された空間として理解することができる。
【０１９６】
ディスプレイ５１０ａは、ディスプレイ溝１０８を通して外部に露出され得る。したがって、ユーザーは、ディスプレイ溝１０８に露出されたディスプレイ５１０ａを介して運転情報を確認するかまたはタッチ部５１０ｂを操作することができる。
【０１９７】
上部パネル１０５は、ユーザーが上部パネル１０５を収納スペースとして使用できるように、平らに構成されている。収納スペースは、物品、食品などで満たされ得る。
【０１９８】
したがって、上部パネルに、ユーザーが目視で確認すべきディスプレイを配置することは容易ではない可能性がある。ディスプレイが上部パネルの中央に配置された場合、ディスプレイは物体、食品などで遮られ得る。
【０１９９】
本発明の一実施形態では、そのような問題を防止するために、ディスプレイ５１０ａは、上部パネル１０５の前縁側に位置決めされ得る。例えば、ディスプレイ５１０ａは、パネル前面１０５ａの前に位置決めされ得る。ディスプレイ５１０ａは、ドア後面２００ａの後側に位置決めされてもよい。
【０２００】
すなわち、ディスプレイ５１０ａは、パネル前面１０５ａとドア後面２００ａとの間に位置決めされ得る。
【０２０１】
上述したように、ドアアセンブリ２００は「ドア」と呼ばれ得る。ドア２００が前方に引かれると、ディスプレイ５１０ａの前面は前方に露出され得る。（図２参照）
【０２０２】
したがって、ドア２００を閉める過程でユーザーの手を巻き込む問題が発生し得る。この問題を解決するために、本発明の実施形態によるディスプレイ５１０ａは、前後方向に移動可能なように設けられ得る。その詳細については後述する。
【０２０３】
電気ユニット４５０は、電気板４６０と、電気板４６０に設置された複数の電気部品とを含む。電気板４６０は、本体フレーム１１０の開いた上部を遮蔽するように設置されている。
【０２０４】
電気板４６０の後端は、ファンハウジング４１０の上端に連結され得る。すなわち、電気板４６０は、ファンハウジング４１０とともにほぼ「¬」形状として形成され得る。
【０２０５】
詳細には、電気板４６０は、複数の電気部品のための取付面を提供する電気ベース４７０と、電気ベース４７０から上方に延在するベース支持体４８０とを含む。
【０２０６】
複数の電気部品は、表示モジュール５１０と、電源ＰＣＢ５２０と、メインＰＣＢ５３０と、サブＰＣＢ５４０と、無線充電モジュール６００と、有線充電モジュール５６０と、Ｗｉ−Ｆｉ  ＰＣＢ５７０とを含み得る。
【０２０７】
例えば、表示モジュール５１０は、電気ベース４７０の前部に配置されており、サブＰＣＢ５４０は電気ベース４７０の後部に配置されており、メインＰＣＢ５３０は電気ベース４７０の中央部に配置されている。メインＰＣＢ５３０は、表示モジュール５１０とサブＰＣＢ５４０との間に配置され得る。
【０２０８】
加えて、電源ＰＣＢ５２０は、電気ベース４７０の左側に配置されており、無線充電モジュール６００と有線充電モジュール５６０とは、電気ベース４７０の右側に配置され得る。サブＰＣＢ５４０は、電源ＰＣＢ５２０と無線充電モジュール６００との間に配置され得る。
【０２０９】
無線充電モジュール６００と有線充電モジュール５６０とは、電気ベース４７０の右側に互いに隣接し、前後方向に整列して配置されている。Ｗｉ−Ｆｉ  ＰＣＢ５７０は、有線充電モジュール５６０の前側に位置し、後述するディスプレイカバー５１７に設置され得る。
【０２１０】
電気ベース４７０は、角板の形状を有し得る。電気ベース４７０の上面には、複数の電気部品を支持または設置するための複数のリブまたはボスが設けられている。
【０２１１】
ベース支持体４８０は、電気ベース４７０の縁に沿って上方に延在し得る。電気ベース４７０とベース支持体４８０とにより、所定のサイズを有する電気部品空間を画定することができる。電気部品は電気部品空間に設置されている。
【０２１２】
詳細には、ベース支持体４８０は、電気ベース４７０の前端に沿って上方に延在する前部支持体４８１と、電気ベース４７０の両端に沿って上方に延在する側部支持体４８３と、電気ベース４７０の後端に沿って上方に延在する後部支持体４８５とを含む。
【０２１３】
前部支持体４８１は、所定の高さだけ電気ベース４７０の前端から上方に延在し得る。表示モジュール５１０は、前部支持体４８１の上面に配置されている。
【０２１４】
表示モジュール５１０は、前後方向に電気板４６０の前端に移動可能に結合され得る。
【０２１５】
前部支持体４８１の上面は、前後にスライドできるように表示モジュール５１０を支持することができる。
【０２１６】
例えば、前部支持体４８１は、電気ベース４７０の前端に沿って両側方向に延在する第１の前部４８１ａと、第１の前部４８１ａの両端から前方に延在する第２の前部４８１ｂとを含み得る。
【０２１７】
第１の前部４８１ａと第２の前部４８１ｂとは、表示モジュール５１０と接触し、表示モジュール５１０を支持する。前部支持体４８１は、ねじＳによって表示モジュール５１０に結合され得る。
【０２１８】
第１の前部４８１ａと第２の前部４８１ｂとは、表示モジュール５１０が前後方向に移動されるときに表示モジュール５１０が揺れるのを防止することができる。
【０２１９】
前部支持体４８１は、表示モジュール５１０を選択的に固定するためのディスプレイ固定具４８１ｃをさらに含む。
【０２２０】
ディスプレイ固定具４８１ｃは、第１の前部４８１ａの後面に形成され得る。ディスプレイ固定具４８１ｃは、所定の間隔だけ間隔をあけて配置された複数のディスプレイ固定具を含み得る。
【０２２１】
ディスプレイ固定具４８１ｃは、表示モジュール５１０とねじＳとによって結合された部分として理解され得る。
【０２２２】
ユーザーは、表示モジュール５１０をディスプレイ固定具４８１ｃに結合することによって表示モジュール５１０が前後にスライドするのを防止することができる。あるいは、ユーザーは、表示モジュール５１０をディスプレイ固定具４８１ｃに結合しないことによって表示モジュール５１０を前後にスライドさせることもできる。
【０２２３】
すなわち、ユーザーは、表示モジュール５１０をねじＳでディスプレイ固定具４８１ｃに結合するかどうかを決定し、表示モジュール５１０の前後方向の移動を選択的に設定することができる。
【０２２４】
側部支持体４８３は、電気ベース４７０の両端に沿って上方に延在する。１対の側面パネル１０３が側部支持体４８３と接触し、側部支持体４８３に結合され得る。
【０２２５】
側部支持体４８３は、複数の電気部品のうちの少なくとも一部に接続されたワイヤが通るワイヤスルーホール４８３ａを含む。ワイヤスルーホール４８３ａは、側部支持体４８３の対にそれぞれ形成され得る。詳細には、ワイヤスルーホール４８３ａは、側部支持体４８３の少なくとも一部を貫通するように形成され得る。
【０２２６】
側部支持体４８３は、ワイヤリブ４８３ｂをさらに含み得る。ワイヤリブ４８３ｂは、ワイヤを容易に配置できるように、ワイヤスルーホール４８３ａの内部に対応する側部支持体４８３に形成されている。ワイヤリブ４８３ｂは、ワイヤスルーホール４８３ａの上側に設けられ得る。
【０２２７】
一方、ワイヤスルーホール４８３ａは、ワイヤとしてのみならず、電気ベース４７０に導入された水を外部に排出するためのドレンポートとしても機能することができる。
【０２２８】
後部支持体４８５は、電気ベース４７０の後端に沿って上方に延在する。後部支持体４８５は、電気ベース４７０から後方へ傾斜するように形成され得る。すなわち、後部支持体４８５は、電気ベース４７０の後端から外方へ延長され得る。後部支持体４８５は、ハウジングカバー４３０に結合され得る。
【０２２９】
電気ベース４７０は、表示モジュール５１０を支持するためのディスプレイ支持リブ４７１、４７２を含む。
【０２３０】
詳細には、ディスプレイ支持リブ４７１、４７２は、電気ベース４７０の上面から両方向（図１１に関して水平方向）に伸びている。
【０２３１】
ディスプレイ支持リブ４７１、４７２は、表示モジュール５１０が前部支持体４８１上に取り付けられるときに表示モジュール５１０の後側を支持するように機能する。ディスプレイ支持リブ４７１、４７２は、前部支持体４８１に隣接して配置され得る。
【０２３２】
ディスプレイ支持リブ４７１、４７２は、表示モジュール５１０を安定して支持するように対として形成され得る。例えば、ディスプレイ支持リブ４７１、４７２の対は、電気ベース４７０の上面で前後方向に互いに間隔をあけて配置され得る。
【０２３３】
詳細には、ディスプレイ支持リブ４７１、４７２の対は、前部支持体４８１に面した第１のディスプレイ支持リブ４７１と、第１のディスプレイ支持リブ４７１の後に間隔をあけて配置された第２のディスプレイ支持リブ４７２とを含む。
【０２３４】
第１のディスプレイ支持リブ４７１と第２のディスプレイ支持リブ４７２とは、同じ高さを有するように形成され得る。したがって、１つのディスプレイ支持リブ４７１が設けられた場合よりも表示モジュール５１０を安定して支持することができる。このとき、表示モジュール５１０を、ディスプレイ支持リブ４７１、４７２の上面に取り付けられた状態で、前後方向に移動させることができる。
【０２３５】
電気ベース４７０は、表示モジュール５１０の一部を支持し、表示モジュール５１０の前後移動を案内するための案内リブ４７３、４７４をさらに含む。
【０２３６】
詳細には、案内リブ４７３、４７４に表示モジュール５１０の案内突起５１９ｈ、５１８ｃが挿入される。表示モジュール５１０が前方または後方に移動すると、案内突起５１９ｈ、５１８ｃは、それぞれ、案内リブ４７３、４７４と接触した状態で前方または後方へ移動することができる。
【０２３７】
案内リブ４７３、４７４は、電気ベース４７０から上方に突出している。例えば、案内リブ４７３、４７４は、電気ベース４７０の上面から上方に延在していてもよく、板形状を有し得る。
【０２３８】
案内リブ４７３、４７４は、電気ベース４７０の中央部に配置され、表示モジュール５１０の後側に配置された第１の案内リブ４７３を含む。
【０２３９】
第１の案内リブ４７３は、第１の案内突起５１９ｈが配置された取付溝４７３ａを備えて形成されている。取付溝４７３ａは、第１の案内リブ４７３の上部から下方に凹んでおり、第１の案内突起５１９ｈをそこに挿入することができる。
【０２４０】
案内リブ４７３、４７４は、電気ベース４７０の両側に配置され、表示モジュール５１０の下面に配置された第２の案内リブ４７４をさらに含む。
【０２４１】
第２の案内リブ４７４は、表示モジュール５１０の両側に１対で設けられており、電気ベース４７０の上面から板形状を有し得る。
【０２４２】
第２の案内リブ４７４は、第２の案内突起５１８ｃが配置された取付溝４７４ａを備えて形成されている。取付溝４７４ａは、第２の案内リブ４７４の上部から下方に凹んでおり、第２の案内突起５１８ｃをそこに挿入することができる。
【０２４３】
第２の案内リブ４７４の対は、第１の案内リブ４７３に対して対称に配置され得る。すなわち、一方の第２の案内リブ４７４と第１の案内リブ４７３との間の垂直距離Ｌ１は、他方の第２の案内リブ４７４と第１の案内リブ４７３との間の垂直距離Ｌ２と等しくなるように設計され得る。第２の案内リブ４７４は、電気ベース４７０の前部の両側に配置され得る。
【０２４４】
第２の案内リブ４７４の対は側部支持体４８３にそれぞれ連結されるので、表示モジュール５１０の支持力を補強することができる。
【０２４５】
要約すると、表示モジュール５１０の前部を、前部支持体４８１およびディスプレイ支持リブ４７１、４７２に配置することができる。表示モジュール５１０の両側部が第２の案内リブ４７４によって支持され、表示モジュール５１０の後部は第１の案内リブ４７３によって支持され得る。
【０２４６】
したがって、表示モジュール５１０が電気板４６０上に設置された状態では、表示モジュール５１０は、表示モジュール５１０が前後に移動されるときに水平方向にねじれず、表示モジュール５１０を前後方向に、すなわち、直線方向に移動させることができる。
【０２４７】
電気ベース４７０は、表示モジュール５１０が前方または後方へ移動されるときの表示モジュール５１０の上下移動を制限するための解放防止部４７６、４７７をさらに含む。
【０２４８】
解放防止部４７６、４７７は、表示モジュール５１０を入れるために後方へ移動させるか、または戻すために前方へ移動させるときに表示モジュール５１０が垂直方向にねじれるのを防止するように構成され得る。
【０２４９】
詳細には、解放防止部４７６、４７７は、電気ベース４７０から上方に延在する締結ボス４７６と、表示モジュール５１０の一部を貫通して、締結ボス４７６に締結された締結部材４７７とを含む。
【０２５０】
締結ボス４７６は、電気ベース４７０の上面から上方に延在し、締結部材４７７が挿入される結合穴を含む。例えば、締結ボス４７６は、円筒形状を有し得る。
【０２５１】
締結ボス４７６は、電気ベース４７０の両側に配置され、ディスプレイ支持リブ４７１、４７２の後側に配置され得る。詳細には、締結ボス４７６の対は、電気ベース４７０を左右に分割する中心線Ｃに対して対称に配置されている。すなわち、締結ボス４７６の対は、それぞれ、仮想中心線Ｃに対して横方向に等間隔をおいて配置され得る。
【０２５２】
締結部材４７７は、ねじ４７７ａと座金４７７ｂとを含み得る。例えば、ねじ４７７ａは、円筒形の本体と、本体の上端に設けられた頭部とを含み得る。座金４７７ｂは、頭部の下側に嵌合することができる。座金４７７ｂは、頭部の直径よりも大きく形成され得る。
【０２５３】
締結ボス４７６の上には表示モジュール５１０上に形成されたガイドスリット５１９ｆが配置されていてもよく、締結部材４７７は、ガイドスリット５１９ｆを上から下方に貫通してもよく、締結ボス４７６に締結することができる。
【０２５４】
締結部材４７７の座金４７７ｂの直径Ｄ１は、ガイドスリット５１９ｆの直径Ｄ２より大きくなるように形成されているので、座金４７７ｂの干渉による表示モジュール５１０の上方移動が制限される。
【０２５５】
すなわち、座金４７７ｂによって表示モジュール５１０を下方へ押し下げることによって、表示モジュール５１０を前後に移動させる過程で表示モジュール５１０が上方へ移動するのを防止することが可能である。
【０２５６】
電気ベース４７０は、表示モジュール５１０が前方へ移動されるときに移動速度を制御するためのダンパーアセンブリをさらに含む。
【０２５７】
ダンパーアセンブリは、表示モジュール５１０が後方に引かれた状態で表示モジュール５１０が前方に引かれるときに引く速度を減速するように構成され得る。
【０２５８】
すなわち、ダンパーアセンブリは表示モジュール５１０に結合されており、表示モジュール５１０は、表示モジュール５１０が前方に引き出されるときに所定の速度で引き出されるように減速される。
【０２５９】
他方、表示モジュール５１０が後方へ移動するときには、ダンパーアセンブリは減衰力を提供しない。
【０２６０】
したがって、ドア２００を引く過程で、ユーザーの手が表示モジュール５１０の前面で巻き込まれた場合、表示モジュール５１０は後方へすばやく移動し、それによってユーザーがけがをするのを防止する。
【０２６１】
表示モジュール５１０が後退した状態では、ユーザーが手を離すための余裕時間を与えるように表示モジュール５１０を前方へゆっくり移動させることができる。これによりユーザーの感情的な必要を満たすことができ、より高品質の製品が得られる。
【０２６２】
より具体的には、ダンパーアセンブリは、表示モジュール５１０に結合されたダンパー４７８と、ダンパー４７８と接触してダンパー４７８の移動を案内するダンパーガイド４７９とを含む。
【０２６３】
ダンパー４７８は、電気ベース４７０の両側に１対で設けられ得る。
【０２６４】
ダンパー４７８は、ダンパー４７８に充填されたオイルなどの粘性流体の流れ抵抗を使用して表示モジュール５１０の移動速度を低減させるように構成されている。すなわち、ダンパー４７８はロータリーオイルダンパーを含む。
【０２６５】
詳細には、ダンパー４７８は、表示モジュール５１０に設けられたディスプレイカバー５１７（図１２参照）に結合されたフランジ部４７８ｂを有するダンパー本体４７８ａと、ダンパー本体４７８ａの下部に設けられ、ダンパーガイド４７９（図１４参照）にギア連結されたダンパーギア４７８ｃとを含む。
【０２６６】
フランジ部４７８ｂは、ダンパー本体４７８ａの両側に設けられており、ディスプレイカバー５１７は、フランジ部４７８ｂに結合された１対のダンパー結合部５１９ｄ（図１４参照）を含む。
【０２６７】
フランジ部４７８ｂは、ダンパー結合部５１９ｄの上側に支持されており、ダンパーギア４７８ｃは、ダンパー結合部５１９ｄの対間の空間においてダンパー本体４７８ａの下方に延在し得る。
【０２６８】
ダンパーガイド４７９は、ダンパー４７８の両側に配置された１対のギアガイド４７９ａ、４７９ｂを含む。例えば、ギアガイドの対４７９ａ、４７９ｂは、ダンパー４７８の一方の側に配置された第１のギアガイド４７９ａと、他方の側に配置された第２のギアガイド４７９ｂとを含み得る。
【０２６９】
第１および第２のギアガイド４７９ａ、４７９ｂは、前後方向に延在し得る。第１および第２のギアガイド４７９ａ、４７９ｂは、水平方向に互いに間隔をあけて配置され得る。
【０２７０】
第１のギアガイド４７９ａはダンパーギア４７８ｃと係合することができる。すなわち、第１のギアガイド４７９ａは、ダンパーギア４７８ｃとかみ合わされるようにラックギアとして設けられ得る。
【０２７１】
第２のギアガイド４７９ｂはバーであってもよく、ダンパーギア４７８ｃとかみ合わされない。
【０２７２】
表示モジュール５１０が後方へ移動し次いで前に戻るときに、オイルの流れ抵抗がダンパーギア４７８ｃに作用し、ダンパーギア４７８ｃの回転速度が減少し得る。したがって、表示モジュール５１０の移動速度を低減させることができる。
【０２７３】
ダンパーガイド４７９は、ギアリブ４７９ｃをさらに含む。ギアリブ４７９ｃは、電気ベース４７０の上面から上方に延在し、第１および第２のギアガイド４７９ａ、４７９ｂに連結することができる。
【０２７４】
例えば、ギアリブ４７９ｃは、第１および第２のギアガイド４７９ａ、４７９ｂの前端に連結し得る。このときに、ギアリブ４７９ｃは、第１のディスプレイ支持リブ４７１の側に配置され得る。
【０２７５】
ギアリブ４７９ｃは、第１のディスプレイ支持リブ４７１と一緒に表示モジュール５１０を支持するために第１のディスプレイ支持リブ４７１と同じ高さに形成されている。
【０２７６】
図１２は、本発明の一実施形態による表示モジュールの分解斜視図であり、図１３は、本発明の一実施形態によるディスプレイカバーの構成を示す正面図であり、図１４は、本発明の一実施形態によるディスプレイカバーの構成を示す底面図である。
【０２７７】
図１２から図１４を参照すると、本発明の一実施形態による表示モジュール５１０は、空気清浄機１０の運転情報を表示するためのディスプレイ５１０ａと、運転コマンドを入力するためのタッチ部５１０ｂとを含む。表示モジュール５１０は、電気板４６０の前部に配置されており、前後にスライドすることができる。
【０２７８】
例えば、表示モジュール５１０に前からの外力が加わると、表示モジュール５１０を後方へ移動させることができ、引き込むことができる。外力が失われると、表示モジュール５１０を前方へ移動させ、戻すことができる。
【０２７９】
詳細には、表示モジュール５１０は、ディスプレイ取付部５１１と、ディスプレイＰＣＢ５１３と、反射器５１５と、ディスプレイカバー５１７と、保護フィルム５１６とを含み得る。表示モジュール５１０では、ディスプレイ取付部５１１、ディスプレイＰＣＢ５１３、反射器５１５、およびディスプレイカバー５１７が上側に向かって順次に組み立てられており、表示モジュール５１０は電気板４６０上に設置され得る。
【０２８０】
ディスプレイ取付部５１１は、表示モジュール５１０の下部を構成し、ディスプレイＰＣＢ５１３、反射器５１５、およびディスプレイカバー５１７を支持することができる。
【０２８１】
ディスプレイ取付部５１１は、前後に移動可能なように前部支持体４８１の上面に配置されている。すなわち、ディスプレイ取付部５１１は、前部支持体４８１によって支持されるように設置され得る。
【０２８２】
例えば、ディスプレイ取付部５１１は、水平方向に伸びた取付ベース５１１ａと、ベース５１１ａの縁から上方に延在する取付フレーム５１１ｂとを含む。
【０２８３】
取付ベース５１１ａは、所定の面積を有するように平らに形成されており、取付フレーム５１１ｂは、所定の高さを有するので、ディスプレイ取付部５１１に設置空間５１１ｃが設けられ得る。
【０２８４】
加えて、ディスプレイ取付部５１１の下面には表示モジュール５１０をディスプレイ固定具４８１ｃに選択的に固定するための締結具５１１ｄが設けられている。
【０２８５】
少なくとも１つの締結具５１１ｄが取付ベース５１１ａに形成されていてもよく、ディスプレイ固定具４８１ｃに対応する位置に配置され得る。
【０２８６】
上述したように、ユーザーは、ねじＳを使用してディスプレイ固定具４８１ｃと締結具５１１ｄとを締結することによって、表示モジュール５１０が前後にスライドするのを選択的に防止することができる。
【０２８７】
ディスプレイ取付部５１１は、開口５１１ｅをさらに含み得る。開口５１１ｅは、取付フレーム５１１ｂの一部が開くように形成され得る。例えば、開口５１１ｅは、取付ベース５１１ａの後端に対応する取付フレーム５１１ｂの中央部を所定の長さだけ開くことによって形成され得る。
【０２８８】
ディスプレイＰＣＢ５１３は、水平方向に長いように形成され、設置空間５１１ｃに設置されている。ディスプレイＰＣＢ５１３の上面には複数のＬＥＤ素子５１３ｃが設けられている。複数のＬＥＤ素子は、互いに離して配置することができ、発光することができる。
【０２８９】
設置空間５１１ｃにはディスプレイＰＣＢ５１３の一部が取り付けられており、別の部分が開口５１１ｅを通して設置空間５１１ｃの外部に配置され得る。詳細には、ディスプレイＰＣＢ５１３は、設置空間５１１ｃの内部に配置された第１の部分５１３ａと、設置空間５１１ｃの外部に配置された第２の部分５１３ｂとを含む。ＬＥＤ素子は第１の部分５１３ａに配置され得る。
【０２９０】
反射器５１５は、ディスプレイＰＣＢ５１３の上面に設置される。詳細には、反射器５１５は、第１の部分５１３ａの上面に配置されていてもよく、両面テープなどによってディスプレイＰＣＢ５１３の上面に固定され得る。
【０２９１】
反射器５１５は、ディスプレイＰＣＢ５１３上に設けられたＬＥＤデバイスから発せられる光を穏やかに反射または拡散するように構成され得る。このときに、ＬＥＤ素子５１３ｃは、反射器５１５に向けて上方に光を照射することができ、反射器５１５は照射された光を上方に拡散することができる。反射器５１５は、複数のＬＥＤ素子５１３ｃに対応する位置に形成された反射器穴５１５ａを含む。
【０２９２】
ディスプレイカバー５１７は、設置空間５１１ｃを遮蔽するように、ディスプレイ取付部５１１の上部に結合されている。ディスプレイカバー５１７は、設置空間５１１ｃのみならず、設置空間５１１ｃの外部に露出されたディスプレイＰＣＢ５１３の一部も覆う。したがって、ディスプレイＰＣＢ５１３の第１および第２の部分５１３ａ、５１３ｂは、ディスプレイカバー５１７によって遮蔽され得る。
【０２９３】
ディスプレイカバー５１７の構造により、表示モジュール５１０の上側から落ちる水が、設置空間５１１ｃ側へ流入するか、またはディスプレイＰＣＢ５１３側の方へ流れるのを防止することができる。
【０２９４】
保護フィルム５１６は、反射器５１５の上側に対応するディスプレイカバー５１７の上面に積層され得る。
【０２９５】
ディスプレイカバー５１７は、第１のカバー部５１８と、第１のカバー部５１８から後方に延在する第２のカバー部５１９とを含む。
【０２９６】
第１のカバー部５１８は、設置空間５１１ｃを遮蔽する。加えて、第１のカバー部５１８は、ディスプレイ取付部５１１の上側に結合された第１の上面カバー５１８ａと、第１の上面カバー５１８ａの後端から下方に延在する第１の下面カバー５１８ｂとを含む。
【０２９７】
第１の上面カバー５１８ａは、所定の面積を有する四角形板形状を有し、ディスプレイ取付部５１１の上部を覆う。第１の上部カバー５１８ａは、ディスプレイ５１０ａ上に表示される文字またはパターンがプリントされる表示部５１８ｈを備えている。
【０２９８】
保護フィルム５１６は、第１の上部カバー５１８ａ上に積層されており、保護フィルム５１６が積層された第１の上部カバー５１８ａは、ディスプレイ５１０ａを構成することができる。
【０２９９】
すなわち、第１の上部カバー５１８ａは、ディスプレイ溝１０８を通して外部に露出され得る。
【０３００】
第１の後部カバー５１８ｂは、ディスプレイ取付部５１１の開いた後部を覆う。第２のカバー部５１９は、ディスプレイＰＣＢ５１３を覆うために第１のカバー部５１８から後方に延在する。すなわち、第２のカバー部５１９は、ディスプレイＰＣＢ５１３の第２の部分５１３ｂを覆い、保護する。
【０３０１】
第２のカバー部５１９は、透明材料で作られ得る。例えば、ディスプレイカバー５１７は、透明ガラス材料を使用して成形されてもよく、または透明材料を使用して射出成形されてもよい。
【０３０２】
加えて、第２のカバー部５１９は、第１のカバー部５１８の第１の後部カバー５１８ｂから後方に延在する第２の上部カバー５１９ａと、第２の上部カバー５１９ａの後側から下方に延在する第２の後部カバー５１９ｂとを含む。
【０３０３】
第２の上部カバー５１９ａは、第１の上部カバー５１８ａよりも下方の位置に配置され得る。すなわち、第２の上面カバー５１９ａの最上部の高さは、第１の上面カバー５１８ａの最上部の高さよりも低くてもよい。
【０３０４】
詳細には、ディスプレイカバー５１７は、高さに差があるように第１の上部カバー５１８ａと第２の上部カバー５１９ａとの間に延在する段部５１８ｅ、５１８ｆを含む。段部５１８ｅ、５１８ｆは、第１の上部カバー５１８ａから下方に延在する第１の段部５１８ｅと、第２の上部カバー５１９ａから下方に延在する第２の段部５１８ｆとを含む。第１の段部５１８ｅと第２の段部５１８ｆとの間には水平方向に延在するカバー流路５１８ｇが形成されている。
【０３０５】
すなわち、ディスプレイカバー５１７の上面は、第１の段部５１８ｅと第２の段部５１８ｆとによる高さの差を有するように構成され得る。この構成により、第１の上部カバー５１８ａまたは第２の上部カバー５１９ａに落ちる水は、第１の段部５１８ｅと第２の段部５１８ｆによるカバー流路５１８ｇに流入することができ、ディスプレイカバー５１７の外部に排出され得る。
【０３０６】
第２の上部カバー５１９ａは第１のくぼみ５１９ｃを含む。第１のくぼみ５１９ｃは、第２の上部カバー５１９ａの一部が下方に凹むように形成されている。例えば、第１のくぼみ５１９ｃは、第２の上部カバー５１９ａの両側から所定の深さで凹みとして形成され得る。第１のくぼみ５１９ｃの対は、第２の上部カバー５１９ａ内のダンパー４７８に対応する位置で凹みとして形成され得る。
【０３０７】
ダンパー４７８が結合されたダンパー結合部５１９ｄは、第１のくぼみ５１９ｃの下側に、すなわち、第１のくぼみ５１９ｃの下面に形成されている。
【０３０８】
ダンパー結合部５１９ｄは、対として設けられ、第１のくぼみ５１９ｃの下面から下方に延在し得る。ダンパー結合部５１９ｄの対は、ダンパーギア４７８ｃがダンパー結合部５１９ｄの対間の空間を通って下方に延在することができるように、所定の間隔だけ間隔をあけて配置され得る。
【０３０９】
ダンパー４７８がダンパー結合部５１９ｄによって表示モジュール５１０に結合されている場合、表示モジュール５１０の移動速度は、ダンパー４７８がダンパーガイド４７９に沿って前後に移動する間に制御され得る。
【０３１０】
第２の上部カバー５１９ａは、第２のくぼみ５１９ｅをさらに含む。第２のくぼみ５１９ｅは、第２の上部カバー５１９ａの一部が下方に凹むように形成されている。例えば、第２のくぼみ５１９ｅは、解放防止部４７６、４７７に対応する位置で、それぞれ、第２の上部カバー５１９ａから凹みとして形成され得る。
【０３１１】
第２のくぼみ５１９ｅの下面にはねじ４７７ａが通過するガイドスリット５１９ｆが形成されている。ガイドスリット５１９ｆは、前後方向に第２のくぼみ５１９ｅの下面から延在するように構成されている。締結部材４７７は、ガイドスリット５１９ｆを上から下方へ通った後、締結ボス４７６に締結され得る。
【０３１２】
締結部材４７７に設けられた座金４７７ｂの直径Ｄ１はガイドスリット５１９ｆの幅Ｄ２より大きくなるように形成されているので、座金４７７ｂの下面は、締結部材４７７が締結ボス４７６に締結された状態で、第２のくぼみ５１９ｅの下面と密接に接触する。
【０３１３】
したがって、表示モジュール５１０の上方移動を制限することができるので、表示モジュール５１０を前後に移動させる過程で表示モジュール５１０が上方に突出するのを防止することが可能である。
【０３１４】
結果として、複数のくぼみ５１９ｃ、５１９ｅは、電気板４６０と表示モジュール５１０との移動可能な組み合わせを案内することができる。
【０３１５】
複数のくぼみ５１９ｃ、５１９ｅは、表示モジュール５１０を、垂直方向と両方向とに制限されるように案内することができる。
【０３１６】
複数のくぼみ５１９ｃ、５１９ｅは、表示モジュール５１０の速度を、前後方向に調整されるように案内することができる。
【０３１７】
ディスプレイカバー５１７は、Ｗｉ−Ｆｉ  ＰＣＢ５７０を取り付けるための空間を形成するためのＰＣＢ取付部５１９ｇをさらに含む。ＰＣＢ取付部５１９ｇは、第２のカバー部５１９上に形成され得る。
【０３１８】
詳細には、ＰＣＢ取付部５１９ｇは、第２のカバー部５１９から後方へさらに延在する。例えば、ＰＣＢ取付部５１９ｇは、Ｗｉ−Ｆｉ  ＰＣＢ５７０が取り付けられるように上部が開いた長方形のケースの形状を有し得る。ディスプレイカバー５１７が電気板４６０上に設置される場合、ＰＣＢ取付部５１９ｇは、電気ベース４７０の上面に配置され得る。
【０３１９】
ディスプレイカバー５１７は、表示モジュール５１０の前後移動を安定して支持するための案内突起をさらに含む。案内突起は、第１の案内突起５１９ｈを含む。第１の案内突起５１９ｈは、ディスプレイカバー５１７の後面に形成されている。詳細には、第１の案内突起５１９ｈは、所定の長さだけ第２のカバー部５１９の後部カバー５１９ｂから後方に延在し得る。
【０３２０】
第１の案内突起５１９ｈは、水平方向に対して第２のカバー部５１９の後部カバー５１９ｂの中央部に配置され得る。第１の案内突起５１９ｈは、第１の案内リブ４７３の取付溝４７３ａに取り付けられ得る。第１の案内突起５１９ｈは取付溝４７３ａの内側面によって支持されるので、第１の案内突起５１９ｈは、前後移動を案内し、水平移動を制限することができる。
【０３２１】
案内突起は、第２の案内突起５１８ｃをさらに含み得る。第２の案内突起５１８ｃは、ディスプレイカバー５１７の両側にそれぞれ設けられている。詳細には、第２の案内突起５１８ｃは、所定の長さだけ第１のカバー部５１８の後部カバー５１８ｂから後方に延在し得る。
【０３２２】
第２の案内突起５１８ｃは、第２の案内リブ４７４の取付溝４７４ａに取り付けられるように、第１のカバー部５１８の後部カバー５１８ｂの両側に対して対称に配置されている。第２の案内突起５１８ｃは取付溝４７４ａの内側面によって支持されるので、第２の案内突起５１８ｃは、前後移動を案内し、水平移動を制限することができる。
【０３２３】
ディスプレイカバー５１７は、第２の案内突起５１８ｃの外周面に設けられたばね５１８ｄをさらに含む。ばね５１８ｄは、表示モジュール５１０が後方へ後退するときに元の位置（前方）に戻るための弾性力を提供する。
【０３２４】
ばね５１８ｄは、第１のカバー部５１８と第２の案内リブ４７４との間に介在し得る。ばね５１８ｄの前端は、第１のカバー部５１８の後部カバー５１８ｂと接触してもよく、ばね５１８ｄの後端は、第２の案内リブ４７４と接触し得る。例えば、ばね５１８ｄは、圧縮コイルばねを含み得る。
【０３２５】
第２の案内突起５１８ｃは、ばね５１８ｄに挿入され得る。すなわち、ばね５１８ｄは、第２の案内突起５１８ｃを取り囲むように配置されており、それによって、ばね５１８ｄを変形させる過程でばね５１８ｄが外れるかまたは損傷するのを防止する。
【０３２６】
図１５は、本発明の一実施形態による空気清浄機にユーザーの手が巻き込まれた状態を示す図であり、図１６は、本発明の一実施形態による後方へ移動された表示モジュールを示す平面図であり、図１７ａは、本発明の一実施形態による後方へ移動された表示モジュールを示す側面図であり、図１７ｂは、本発明の一実施形態による前方へ移動された表示モジュールを示す図である。
【０３２７】
図１５を参照すると、ユーザーがドア２００を開閉するときに、ユーザーの手はドア２００と表示モジュール５１０との間に巻き込まれ得る。この場合、ユーザーの手は、比較的重いドア２００による衝撃を受け、傷つく可能性がある。
【０３２８】
この問題を解決するために、本発明の実施形態による表示モジュール５１０は、後方へスムーズに後退するように構成されている。ドア２００が閉められ、ユーザーの手が表示モジュール５１０から離されるときに、表示モジュール５１０を前側にゆっくり戻すことができる。この構成により、ドア２００または表示モジュール５１０がユーザーの手に強く当たるのを防止することが可能である。
【０３２９】
詳細には、前後移動における表示モジュール５１０の動作を簡単に説明する。
【０３３０】
まず、図１０を参照すると、空気清浄機１０のドアアセンブリ２００が閉められるときに、表示モジュール５１０は前部支持体４８１の上側で支持される。
【０３３１】
詳細には、ディスプレイ取付部５１１は、前部支持体４８１の第２の部分４８１ｂに配置されており、ディスプレイカバー５１７上に設けられた第１および第２の案内突起５１９ｈ、５１８ｃは、それぞれ、第１および第２の案内リブ４７３、４７４の取付溝４７３ａ、４７４ａによって支持される。
【０３３２】
ばね５１８ｄは第２の案内リブ４７４の外周面に設けられており、ばね５１８ｄは、ディスプレイカバー５１７と第２の案内リブ４７４との間に引っ張られた状態で維持される。
【０３３３】
他方、図１６および図１７Ａを参照すると、ユーザーがドアアセンブリ２００を開閉する過程で表示モジュール５１０に当たったときに、表示モジュール５１０を後方へスムーズに移動させることができる。このときに、ばね５１８ｄは圧縮され、復元力がしかるべく蓄積される。ダンパー４７８は、ダンパーガイド４７９に沿って抵抗なく後方へスムーズに移動される。
【０３３４】
他方、図１７Ｂに示されるように、ユーザーの手が表示モジュール５１０から離されるときには、ばね５１８ｄに蓄積された復元力によって表示モジュール５１０を前方へ移動させることができる。ばね５１８ｄは引っ張られ得る。ダンパーギア４７８ｃは、ダンパー４７８に充填された粘性流体の抵抗によりダンパーガイド４７９に沿って前方へゆっくりと移動される。結果として、表示モジュール５１０が前方へ移動する速度が減速される。
【０３３５】
したがって、ドアアセンブリ２００を閉める過程で、ユーザーの手が表示モジュール５１０とドアアセンブリ２００との間に巻き込まれることが防止され、表示モジュール５１０が戻る過程でユーザーの手に強く当たることが防止され、したがって、安定性が改善される。
【０３３６】
図１８は、本発明の一実施形態による複数のＰＣＢと電気板との構成を示す分解斜視図であり、図１９は、本発明の一実施形態による無線充電モジュールが電気板に結合された状態を示す平面図であり、図２０は、本発明の一実施形態による無線充電モジュールと電気板との構成を示す分解斜視図であり、図２１は、本発明の一実施形態による電気板のドレンポートを示す分解斜視図であり、図２２は、本発明の一実施形態による上部パネルの底面図であり、図２３は、図３のＡ−Ａ’に沿った断面図である。
【０３３７】
図１８から図２３を参照すると、本発明の実施形態による電気部品は、表示モジュール５１０と、電源ＰＣＢ５２０と、メインＰＣＢ５３０と、サブＰＣＢ５４０と、無線充電モジュール６００と、有線充電モジュール５６０と、Ｗｉ−Ｆｉ  ＰＣＢ５７０とを含み得る。
【０３３８】
複数のＰＣＢ５１０、５２０、５３０、５４０、５７０はプリント回路基板として定義され得る。
【０３３９】
ＰＣＢ５１０、５２０、５３０、５４０、５７０と充電モジュール５５０、５６０とは、電気ベース４７０の上面に設置され得る。詳細には、電源ＰＣＢ５２０は、第１の締結部５２５を含み、電気ベース４７０は、締結部材を介して第１の締結部５２５に結合された第１のボス４７５ａを含む。複数の第１の締結部５２５が電源ＰＣＢ５２０の両側に設けられ得る。
【０３４０】
メインＰＣＢ５３０は第２の締結部５３５を含み、電気ベース４７０は、締結部材を介して第２の締結部５３５に結合された第２のボス４７５ｂを含む。複数の第２の締結部５３５がメインＰＣＢ５３０の両側に設けられ得る。
【０３４１】
サブＰＣＢ５４０は第３の締結部５４５を含み、電気ベース４７０は、結合部材を介して第３の締結部５４５に結合された第３のボス４７５ｃを含む。複数の第３の締結部５４５がサブＰＣＢ５４０の両側に設けられ得る。
【０３４２】
電気ベース４７０は、ＰＣＢ５１０、５２０、５３０、５４０、５７０を取り囲む設置リブ４７５ｄをさらに含む。例えば、複数の設置リブ４７５ｄが設けられ得る。一部の設置リブは電源ＰＣＢ５２０の外部を取り囲み、他の設置リブはメインＰＣＢ５３０の外部を取り囲み得る。すなわち、ＰＣＢ５１０、５２０、５３０、５４０、５７０は、設置リブ４７５ｄの内部に位置決めされており、たとえ結合部とボスとの間の結合が解除されたとしても、空気清浄機１０で発生した振動により設置位置がずれるのを防止することができる。
【０３４３】
電気ベース４７０は、ＰＣＢ５１０、５２０、５３０、５４０、５７０の下部を支持し、電気ベース４７０から上方に突出する支持リブ４７５ｅをさらに含む。例えば、複数の支持リブが設けられ得る。一部に支持リブは電源ＰＣＢ５２０の下面を支持し、他の支持リブはサブＰＣＢ５４０の下面を支持し得る。
【０３４４】
上述したように、ＰＣＢ５１０、５２０、５３０、５４０、５７０は支持リブ４７５ｅによって電気ベース４７０の上面から上方に間隔をおいて配置され得るので、電気ベース４７０に存在する流体がＰＣＢに作用するのを防止することが可能である。
【０３４５】
電気ベース４７０に存在し得る流体を下方へ排出するためのドレンポート４８８ａ、４８８ｃが、電気ユニット４５０に設けられている。ドレンポート４８８ａ、４８８ｃは、電気ベース４７０の両側に設けられた側部支持体４８３に形成され得る。
【０３４６】
ユーザーは、空気清浄機１０の上部パネル１０５に流体（水または飲料）を含む容器を置くことができる。容器が落下すると、流体が上部パネル１０５の下部に流れて電気ベース４７０上に溜まる可能性がある。したがって、電気ユニット４５０がスムーズに機能するように、溜まった流体を電気ベース４７０から排出する必要がある。このために、本実施形態ではドレンポート４８８ａ、４８８ｃが形成される。
【０３４７】
詳細には、ドレンポート４８８ａ、４８８ｃは、側部支持体４８３の一方の側の延長部に形成された第１のドレンポート４８８ａと、その他方の側の延長部に形成された第２のドレンポート４８８ｃとを含む。一方の側の延長部と他方の側の延長部とは対面する表面を形成する。
【０３４８】
側部支持体４８３は、第１のドレンポート４８８ａを形成する第１のドレンポートブラケット４８８ｂを含む。第１のドレンポート４８８ａは、第１のドレンポートブラケット４８８ｂを水平方向に貫通するように形成されており、電源ＰＣＢ５２０に隣接して配置され得る。第１のドレンポート４８８ａを通して排出された流体は、本体フレーム１１０の一方の側に沿って下方へ落下し得る。
【０３４９】
側部支持体４８３は、第２のドレンポート４８８ｃを形成する第２のドレンポートブラケット４８８ｄを含む。第２のドレンポート４８８ｃは、第２のドレンポートブラケット４８８ｄを水平方向に貫通するように形成されており、無線充電モジュール６００に隣接して配置され得る。第２のドレンポート４８８ｃを通して排出された流体は、本体フレーム１１０の他方の側に沿って下方へ落下し得る。
【０３５０】
無線充電モジュール６００は、電気ベース４７０の後部の一方の側に配置され得る。無線充電モジュール６００は、排出ユニット１０９の前に位置決めされ得る。
【０３５１】
上述したように、無線充電モジュール６００は、上部パネル１０５の第１象限１０５ｈの下に位置し得る。すなわち、上部パネル１０５の第１象限１０５ｈに設置されたシート（図２のＳ参照）は、無線充電モジュール６００の上側に位置決めされ得る。
【０３５２】
有線充電モジュール５６０は、無線充電モジュール６００の前に隣接して位置決めされ得る。
【０３５３】
有線充電モジュール５６０の下には有線充電モジュール５６０を支持するための有線モジュールブラケット５６５が設けられており、有線充電モジュール５６０上には有線充電モジュール５６０を下方へ押し下げるための有線モジュールチップ５６６が設けられている。有線モジュールブラケット５６５は、電気ベース４７０から上方に突出し、有線モジュールチップ５６６の両側部は、下方に曲がり、有線モジュールブラケット５６５に結合されている。
【０３５４】
すなわち、有線充電モジュール５６０は、有線モジュールブラケット５６５と有線モジュールチップ５６６との間に安定して固定することができる。
【０３５５】
キャビネット１００の後側に有線充電モジュール５６０に電気接続されたＵＳＢポート５８０が設けられている。ＵＳＢポート５８０にはＵＳＢカバー５８２が結合され得る。電子装置はＵＳＢポート５８０に接続され、ワイヤによって充電され得る。
【０３５６】
無線充電モジュール６００は、背の低い六面体形状を有し得る。無線充電モジュール６００の一方の側には無線モジュールカプラー６０３ａを有する第１のモジュール側部６０３が形成されている。第１のモジュール側部６０３は、無線充電モジュール６００の右側で凹んでいる。第１のモジュール側部６０３には無線モジュールカプラー６０３ａが設けられているので、無線モジュールカプラー６０３ａは、無線充電モジュール６００の右側から突出しない。
【０３５７】
電気ベース４７０は、無線モジュールカプラー６０３ａに結合された無線モジュールボス５６８を備えている。無線モジュールボス５６８は、電気ベース４７０から上方に突出することができ、ねじＳで無線モジュールカプラー６０３ａに締結することができる。
【０３５８】
無線充電モジュール６００の他方の側には嵌合部６０４ａを有する第２のモジュール側部６０４が形成されている。第２のモジュール側部６０４は、無線充電モジュール６００の左側で凹んでいる。第２のモジュール側部６０４には嵌合部６０４ａが設けられているので、嵌合部６０４ａは、無線充電モジュール６００の左側を越えて突出しない。例えば、嵌合部６０４ａは、第２のモジュール側部６０４の２つの垂直面から突出するように形成され得る。
【０３５９】
電気ベース４７０は、嵌合部６０４ａが挿入される溝５６７ａを有する無線モジュールブラケット５６７を備えている。無線モジュールブラケット５６７は、電気ベース４７０から上方に突出し、溝５６７ａは、無線モジュールブラケット５６７の上部の両側に凹みとして形成され得る。
【０３６０】
無線充電モジュール６００は、嵌合部６０４ａが溝５６７ａに挿入されるように配置され、かつ無線モジュールカプラー６０３ａが無線モジュールボス５６８に締結されるように、電気ベース４７０に設置され得る。電気ベース４７０から突出する無線モジュールボス５６８および無線モジュールブラケット５６７の高さは、互いに等しくてもよい。
【０３６１】
電気ベース４７０から突出する無線モジュールボス５６８および無線モジュールブラケット５６７の高さは、支持リブ４７５ｅの突出する高さより大きくてもよい。したがって、無線充電モジュール６００の設置高さは、その他のＰＣＢ５２０、５３０、５４０の設置高さより大きくてもよい。例えば、無線充電モジュール６００の上面は、上部パネル１０５の下面と接触しているが、その他のＰＣＢ５２０、５３０、５４０の上面は、上部パネル１０５の下面から下方に間隔をおいて配置され得る。
【０３６２】
無線充電モジュール６００は比較的上に位置決めされているので、無線充電モジュール６００と上部パネル１０５上に保持されたモバイル装置Ｍとの間の距離が小さくなるように形成され得る。よって、無線充電効率を高めることができる。
【０３６３】
上部パネル１０５の下面１０５ｆには無線充電モジュール６００に対応する位置で上方に凹んだ充電溝１０５ｃが形成されている。
【０３６４】
充電溝１０５ｃの位置は無線充電モジュール６００の上側に形成されている。例えば、充電溝１０５ｃは、無線充電モジュール６００の上面面積以上の面積を有し得る。
【０３６５】
充電溝１０５ｃは、無線充電モジュール６００の熱を放散するための放熱空間１０５ｄを形成し得る。
【０３６６】
図２３を参照すると、充電溝１０５ｃが形成された上部パネル１０５の一部は、垂直方向に比較的小さい厚さ（Ｗ−Ｈ１）を有し得る。したがって、モバイル装置Ｍと無線充電モジュール６００との間に距離は、無線充電効率を高めるように比較的短縮され得る。
【０３６７】
モバイル装置Ｍと無線充電モジュール６００との中心間の距離は、好ましくは１０ｍｍ以下であり得る。この距離が１０ｍｍを超えると、モバイル装置Ｍの無線充電効率は大幅に悪化し得る。
【０３６８】
加えて、モバイル装置Ｍは、別個のモバイルケースを装備している場合もあり、その厚さは増加し得る。したがって、モバイルケースを装備したモバイル装置Ｍを考慮して、無線充電モジュール６００が対応する上部パネル１０５の厚さは、最小限の厚さに形成されることが好ましい。最小限の厚さの基準については後述する。
【０３６９】
例えば、上部パネル１０５の厚さＷは１５ｍｍに設定され得る。充電溝１０５ｃが形成された上部パネル１０５の厚さＷ−Ｈ１は、４ｍｍに設定され得る。後述する加圧リブ１０５ｂが形成された上部パネル１０５の厚さ（Ｗ−Ｈ２）は、５ｍｍに設定され得る。したがって、無線充電モジュール６００とモバイル装置Ｍとの間に距離は、最小５ｍｍから最大１０ｍｍの値を有し得る。したがって、無線充電効率が低下する現象を防止することができる。
【０３７０】
上述したように、無線充電効率を高めるように、充電溝１０５ｃを上部パネル１０５の下面１０５ｆから可能な限り深く形成することが有利であり得る。すなわち、充電溝１０５ｃは、上部パネルの下面１０５ｆから可能な限り大きく凹ませて形成され得る。
【０３７１】
しかしながら、上部パネル１０５は木材で作られ得る。木材の熱変形の程度、破壊強度、耐久性、寿命などは厚さに応じて変化し得る。したがって、上部パネル１０５は、熱変形の程度、破壊強度、耐久性などの最小基準を満たす最小限の厚さに設定することができる。
【０３７２】
一例では、最小限の厚さは、全厚Ｗの２５％から３０％の値に決定され得る。すなわち、上部パネル１０５の全厚Ｗが１５ｍｍの場合、充電溝１０５ｃの最小限の厚さは好ましくは４ｍｍである。
【０３７３】
結果として、充電溝１０５ｃが形成された上部パネル１０５を、上述した最小基準を満たし、かつ無線充電効率に従って距離を最大化する厚さに形成することができる。
【０３７４】
上部パネル１０５は、無線充電モジュール６００の上面と接触し、無線充電モジュール６００を支持する加圧リブ１０５ｂを備えて形成され得る。
【０３７５】
加圧リブ１０５ｂは、充電溝１０５ｃから下方に突出するように形成され得る。例えば、加圧リブ１０５ｂは、充電溝１０５ｃが形成された上部パネル１０５の下面１０５ｆから、所定の長さだけ下方に延在し得る。所定の長さは１ｍｍに設定され得る。
【０３７６】
所定の長さは、後述する放熱空間１０５ｄのサイズに比例する。
【０３７７】
加圧リブ１０５ｂは、水平方向と前後方向とに横断する形状を有するように延在し得る。例えば、加圧リブ１０５ｂは「＋」形状で突出し得る。
【０３７８】
すなわち、加圧リブ１０５は、放熱空間１０５ｄを形成し得る。例えば、充電溝１０５ｃは、加圧リブ１０５ｂと、加圧リブ１０５ｂによって形成された空間である放熱空間１０５ｄとによって構成され得る。
【０３７９】
したがって、加圧リブ１０５ｂは、無線充電モジュール６００を効果的に加圧して無線充電モジュール６００を固定することができる。
【０３８０】
他方、充電溝１０５ｃは、無線充電モジュール６００の動作によって発生する熱を放散することができる放熱空間１０５ｄを形成し得る。
【０３８１】
放熱空間１０５ｄは、加圧リブ１０５ｂによって隔てられた上部パネルの下面１０５ｆと無線充電モジュール６００との間の空間として画定され得る。
【０３８２】
放熱空間１０５ｄは、無線充電モジュール６００およびモバイル装置Ｍで発生した熱が原因で上部パネル１０５が変形または損傷するのを防止することができる。
【０３８３】
加えて、放熱空間１０５ｄは、無線充電モジュール６００の温度が過度に上昇するのも防止することができる。
【０３８４】
図２４は、本発明の一実施形態による無線充電モジュールの構成を示す分解斜視図であり、図２５は、本発明の一実施形態によるコイルアセンブリの構成を示す図であり、図２６は、本発明の一実施形態による下部コイルの構成を示す図であり、図２７は、本発明の一実施形態による上部コイルの構成を示す図であり、図２８は、本発明の一実施形態によるモバイル装置が上部パネルの上側に取り付けられ、無線充電が行われる状態を示す概略図である。
【０３８５】
図２４を参照すると、本発明の一実施形態による無線充電モジュール６００は、コイルアセンブリ６５０を有するモジュール本体６２０と、モジュール本体６２０の下に設けられた下側ケース６３０と、モジュール本体６２０の上に設けられた上側ケース６１０とを含む。例えば、下側ケース６３０は金属材料（例えばアルミニウム）で作られ、上側ケース６１０はプラスチック材料で作られ得る。
【０３８６】
モジュール本体６２０は、複数のパワーデバイス６２１ａを有するモジュールＰＣＢ６２１と、モジュールＰＣＢ６２１上に設置されたコイルアセンブリ６５０とを含む。
【０３８７】
詳細には、モジュールＰＣＢ６２１に遮蔽部６４０が設けられており、コイルアセンブリ６５０は遮蔽部６４０上に設けられている。遮蔽部６４０は、磁場の下方への伝達を制限する。
【０３８８】
図２５を参照すると、コイルアセンブリ６５０は、電流を磁束に変換するための３つのコイルを含む。３つのコイルは、モバイル装置Ｍに含まれる二次コイルで動作し得る。モバイル装置Ｍの二次コイルは、磁束を起電力に変換するように構成され得る。
【０３８９】
詳細には、コイルアセンブリ６５０は、遮蔽部６４０の上面に配置された２つの下部コイル６５３、６５５と、２つの下部コイル６５３、６５５の上側に配置された１つの上部コイル６５１とを含む。
【０３９０】
２つの下部コイル６５３、６５５は、電気ベース４７０の前後方向に整列された第１の下部コイル６５３および第２の下部コイル６５５を含む。電気ベース４７０の前後方向は、無線充電されるモバイル装置Ｍの長手方向に対応し得る（図２８参照）。
【０３９１】
第１の下部コイル６５３と第２の下部コイル６５５とは同じ構成および形状を有し得る。したがって、後述する第１の下部コイル６５３の構成の説明は、第２の下部コイル６５５にも等しく適用される。
【０３９２】
第１の下部コイル６５３は、１本のコイルワイヤを意味する下部コイル巻線６５３ａが複数回巻線されるように構成され得る。第１の下部コイル６５３は、長方形、環状、または内側が空のドーナツ形状を有し得る。第１の下部コイル６５３の水平方向の幅は、電気ベース４７０に対してその長手方向の幅よりも大きくてもよい。
【０３９３】
図面において、第１の下部コイル６５３の中心はＣＢ１で示されている。第２の下部コイル６５５の中心はＣＢ２で示されている。
【０３９４】
下部コイル巻線６５３ａの直径は、約０．０７ｍｍから０．０９ｍｍであり得る。一例では、第１の下部コイル６５３は、半径方向に１２層として配置された下部コイル巻線６５３ａを含むように構成され得る。すなわち、下部コイル巻線６５３ａは、下部コイル６５３を構成するために１２回巻線され得る。
【０３９５】
コイルアセンブリ６５０は、下部コイル巻線６５３ａの両端を構成する２つの第１の下部コイル端６５３ｂをさらに含む。第１の下部コイル端６５３ｂは、モジュールＰＣＢ６２１に電気接続され得る。
【０３９６】
コイルアセンブリ６５０は、第２の下部コイル６５５の下部コイル巻線の両端を構成する２つの第２の下部コイル端６５５ｂをさらに含む。第２の下部コイル端６５５ｂは、モジュールＰＣＢ６２１に電気接続され得る。
【０３９７】
上部コイル６５１は、１本のコイルワイヤを意味する上部コイル巻線６５１ａが複数回巻線されるように構成され得る。上部コイル６５１は、長方形、環状、または内側が空のドーナツ形状を有し得る。上部コイル６５１の前後方向の幅は、電気ベース４７０に対してその左右方向の幅よりも大きくてもよい。図面において、上部コイル６５１の中心はＣＴで示されている。
【０３９８】
上部コイル巻線６５１ａの直径は、約０．０７ｍｍから０．０９ｍｍの範囲内であり得る。一例では、上部コイル６５１は、半径方向に１２層として配置された上部コイル巻線６５１ａを含むように構成され得る。すなわち、上部コイル巻線６５１ａは、上部コイル６５１を構成するために１２回巻線され得る。
【０３９９】
コイルアセンブリ６５０は、上部コイル巻線６５１ａの両端部を構成する２つの上部コイル端６５１ｂをさらに含む。上部コイル端６５１ｂは、モジュールＰＣＢ６２１に電気接続され得る。
【０４００】
第１の下部コイル６５３と第２の下部コイル６５５とは、長手方向に互いに隣接して配置されていてもよく、互いの重ならないように配置され得る。第１の下部コイル６５３の中心ＣＢ１と第２の下部コイル６５５の中心ＣＢ２との間の距離ｄ２は、約４２ｍｍから５０ｍｍであり得る。
【０４０１】
上部コイル６５１は、第１の下部コイル６５３および第２の下部コイル６５５に重なるように配置され得る。上部コイル６５１は、第１の下部コイル６５３および第２の下部コイル６５５と直交して配置され得る。したがって、上部コイル６５１の前後方向の幅は、その横方向の幅より大きくなるように形成されており、第１の下部コイル６５３および第２の下部コイル６５５の水平方向の幅は、それらの前後方向の幅よりも大きくてもよい。
【０４０２】
第１の下部コイル６５３の中心ＣＢ１と第２の下部コイル６５５の中心ＣＢ２とをつなぐ延長線ｌｏを定義するときに、上部コイル６５１の中心ＣＴは延長線ｌｏ上に位置決めされ得る。
【０４０３】
第１の下部コイル６５３の中心ＣＢ１と上部コイル６５１の中心ＣＴとの間の距離または第２の下部コイル６５５の中心ＣＢ２と上部コイル６５１の中心ＣＴとの間の距離は、約２１ｍｍから２５ｍｍの範囲内で形成することができる。
【０４０４】
図２６を参照すると、第１の下部コイル６５３の中心ＣＢ１に関して、第１の下部コイル６５３の内側面の水平方向の幅ｄ５は、約１９ｍｍから２１ｍｍの範囲内であり、前後方向の幅ｄ３は、約１８ｍｍから２０ｍｍの範囲内で形成することができる。
【０４０５】
第１の下部コイル６５３の外側面の水平方向の幅ｄ６は、約４８ｍｍから５０ｍｍの範囲内であり、その前後方向の幅ｄ４は、約４７ｍｍから４９ｍｍの範囲内で形成することができる。
【０４０６】
図２７を参照すると、上部コイル６５１の中心ＣＴに関して、上部コイル６５１の内側面の水平方向の幅ｄ９は、約２０ｍｍから２２ｍｍの範囲内で形成されており、その前後方向の幅ｄ７は、約２４．５ｍｍから２６．５ｍｍの範囲内で形成することができる。
【０４０７】
上部コイル６５１の外側面の水平方向の幅ｄ１０は、約４５ｍｍから４７ｍｍの範囲内であり、その前後方向の幅ｄ８は、約４８．５ｍｍから５０．５ｍｍの範囲内で形成することができる。
【０４０８】
上部コイル６５１のサイズと第１の下部コイル６５３および第２の下部コイル６５５のサイズとの構成により、上部コイル６５１は第１の下部コイル６５３および第２の下部コイル６５５と重なるように配置されており、各コイル６５１、６５３、６５５の中心は、前後方向に整列するように配置され得る。
【０４０９】
図２８に示されるように、垂直方向の幅Ｗ２が水平方向の幅Ｗ１よりも大きいモバイル装置Ｍを、上部パネル１０５上に保持することができる。このときに、モバイル装置Ｍを充電するために、モバイル装置Ｍの保持方向は、モバイル装置Ｍの垂直方向が上部パネル１０５の前後方向に対応するように決定され得る。
【０４１０】
モバイル装置Ｍの無線充電が開始されると、コイルアセンブリ６５０で発生した磁束は、モバイル装置Ｍの二次コイルに伝達され得る。二次コイルは、磁束を起電力に変換する。
【０４１１】
図２９は、本発明の一実施形態による流体が上部パネルの下側に流入する状態を示す図であり、図３０は、本発明の一実施形態による空気清浄機における内部排水流路を示す図である。
【０４１２】
図２９には、ユーザーが空気清浄機１０の上部パネル１０５に置かれたカップＣを落とし、流体が上部パネル１０５の下側へ流れる状態が示されている。特に、流体は、ディスプレイ溝１０８を通って電気ユニット４５０側に流入し得る。流体が電気ユニット４５０側に流入し、電気部品に作用すると、空気清浄機の故障を生じる可能性がある。したがって、流体排出構造が必要である。
【０４１３】
図３０を参照すると、電気ベース４７０は、設定角度Ａ°だけ後側の方へ下方に傾斜するように形成され得る。詳細には、前部支持体４８１の垂直高さＨ１が後部支持体４８５の垂直高さＨ２よりも大きくなるように形成されている。側部支持体４８３は、その垂直方向の長さが前端から後端へと次第に増すように形成されている。
【０４１４】
言い換えると、電気ベース４７０は、電気ベース４７０の前端が電気ベース４７０の後端よりも高く位置決めされるように構成され得る。
【０４１５】
電気ベース４７０は、後側へと下方に傾斜するように配置されていてもよく、ベース支持体４８０の最上端の高さは同じであり得る。すなわち、前部支持体４８１、側部支持体４８３、および後部支持体４８５の最高の高さは互いに等しい。したがって、上部パネル１０５は、電気板４６０の上に水平に安定して配置することができる。
【０４１６】
電気ユニット４５０の前部に流入した流体は、ディスプレイカバー５１７の第１の上部カバー５１８ａまたは第２の上部カバー５１９ａの方へ落下し、第１および第２の段部５１８ｅ、５１８ｆに沿って下方へ流れ、カバー流路５１８ｇへ流入し、外部に排出され得る。
【０４１７】
次いで、流体の一部は第２のくぼみ５１９ｅの凹んだ面に沿って下方へ流れる。下方へ流れる流体は電気ベース４７０の上面に落ちる。
【０４１８】
電気ベース４７０の上面に存在する流体は、後側へと下方に傾斜した電気ベース４７０の上面に沿って後方へ移動し、第１のドレンポート４８８ａまたは第２のドレンポート４８８ｃを通って電気ベース４７０の外部に流出し得る。次いで、ワイヤ通過穴４８３ａを通して流体の一部を排出することができる。
【０４１９】
電気ベース４７０から排出された水は、本体フレーム１１０の側面から下方へ流れ、排水路１１１ｃに沿って落ちる。次いで、排出された水は最終的に空気清浄機１０のベース１０１に集められ得る。
【０４２０】
この構成によれば、たとえ空気清浄機１０に水が注入されたとしても、空気清浄機１０に流入した水が電気部品内に浸透するのを防止することができ、導入された水を、後方へと自然に移動させながら電気ユニットの外部に効果的に排水することができる。
【０４２１】
たとえ実施形態のすべての要素が１つに結合されるかまたは組み合わされた状態で動作するとしても、本開示はそのような実施形態に限定されない。言い換えると、すべての要素は、本発明の範囲から逸脱することなく互いに選択的に組み合わされ得る。さらに、１つのものがいくつかの要素を含む（ｃｏｍｐｒｉｓｅｓ（またはｉｎｃｌｕｄｅｓまたはｈａｓ））と記述される場合、特定の制限がなければ、それはそれらの要素のみを含み得るか、またはそれはそれらの要素のみならず他の要素も含み得ることを理解されたい。本明細書で特に定義されない限り、技術用語または科学用語を含むすべての用語には当業者によって理解される意味が与えられる。辞書で定義される用語と同様に、一般的に使用される用語は、技術的な文脈で使用される意味として解釈される必要があり、本明細書で特に明確に定義されない限り、理想的な意味や過度に形式的な意味として解釈されない。
【０４２２】
本発明はそのいくつかの例示的な実施形態に関して説明されているが、当業者には、添付の特許請求の範囲で定義される本発明の趣旨および範囲から逸脱することなく本発明において形態および詳細の様々な変更がなされ得ることが理解されよう。したがって、好ましい実施形態は、限定のためではなく説明的な意味で考察されるべきであり、また本発明の技術的範囲はこれらの実施形態に限定されない。さらに、本発明は本発明の詳細な説明によってではなく添付の特許請求の範囲によって定義され、範囲内のすべての差異は本開示に含まれるものと解釈される。
【符号の説明】
【０４２３】
Ａ−Ａ’  線
Ａ°  設定角度
Ｃ  中心線
ＣＢ１  第１の下部コイルの中心
ＣＢ２  第２の下部コイルの中心
ＣＴ  上部コイルの中心
Ｄ１  締結部材の座金の直径
Ｄ２  ガイドスリットの直径
ｄ２  第１の下部コイルの中心と第２の下部コイルの中心との間の距離
ｄ３  第１の下部コイルの内側面の前後方向の幅
ｄ４  第１の下部コイルの外側面の前後方向の幅
ｄ５  第１の下部コイルの内側面の水平方向の幅
ｄ６  第１の下部コイルの外側面の水平方向の幅
ｄ７  上部コイルの内側面の前後方向の幅
ｄ８  上部コイルの外側面の前後方向の幅
ｄ９  上部コイルの内側面の水平方向の幅
ｄ１０  上部コイルの外側面の水平方向の幅
Ｈ１  前部支持体の垂直高さ
Ｈ２  後部支持体の垂直高さ
Ｌ１  第２の案内リブと第１の案内リブとの間の垂直距離
Ｌ２  第２の案内リブと第１の案内リブとの間の垂直距離
ｌｏ  第１の下部コイルの中心と第２の下部コイルの中心とをつなぐ延長線
Ｍ  モバイル装置
Ｓ  シート
Ｖ−Ｖ’  線
Ｗ  上部パネルの厚さ
Ｗ１  水平方向の幅
Ｗ２  垂直方向の幅
１０  空気清浄機
３０  凹んだ部分
１００  キャビネット
１０１  下部ベース
１０３  側面パネル
１０５  上部パネル
１０５ａ  上部パネルの前面
１０５ｂ  加圧リブ
１０５ｃ  充電溝
１０５ｄ  放熱空間
１０５ｅ  金属補強フレーム
１０５ｆ  上部パネルの下面
１０５ｈ  上部パネルの第１象限
１０６  前溝
１０６ａ  後退空間
１０７  後面パネル
１０８  ディスプレイ溝
１０９  排出部
１１０  本体フレーム
１１１ａ  第１の補強リブ
１１１ｂ  第２の補強リブ
１１１ｃ  排水流路
１１２  空間部
１１６  照明ブラケット
１２０  反射板
１２２  照明ＰＣＢ
１２２ａ  照明源
１２４  照明ケース
２００  ドアアセンブリ
２００ａ  ドアパネルの後面
２１０  ドアパネル
２２０  引き出し
２２１  ドア前部
２２２  ドア側面部
２２３  ドア後面部
２２４  ドア下面部
２２５  空気取入口
２２９  第２の貯水部
２３０  レールガイド
２３５  スライディングレール
２３６  レールカバー
２６０  水槽
２６１  水容器支持部
２６２  フロート収容部
２６２ａ  第１の貯水部
２６７  フロート装置
２６９  殺菌装置
２７０  水容器
２７１  開閉式の水容器蓋
２７６  バルブ装置
２８０  フィルターアセンブリ
２８１  エアフィルターケース
２８５  エアフィルター
３００  加湿フィルターアセンブリ
３１０  加湿フィルターケース
３３０  加湿フィルター
４００  ハウジングアセンブリ
４０１  排出口
４１０  ファンハウジング
４２０  送風ファン
４２５  ファンモーター
４３０  ハウジングカバー
４３７  案内板
４５０  電気ユニット
４６０  電気板
４７０  電気ベース
４７１  第１のディスプレイ支持リブ
４７２  第２のディスプレイ支持リブ
４７３  第１の案内リブ
４７３ａ  取付溝
４７４  第２の案内リブ
４７４ａ  取付溝
４７５ａ  第１のボス
４７５ｂ  第２のボス
４７５ｃ  第３のボス
４７５ｄ  設置リブ
４７５ｅ  支持リブ
４７６  解放防止部（締結ボス）
４７７  解放防止部（締結ボス）、締結部材
４７７ａ  ねじ
４７７ｂ  座金
４７８  ダンパー
４７８ａ  ダンパー本体
４７８ｂ  フランジ部
４７８ｃ  ダンパーギア
４７９  ダンパーガイド
４７９ａ  第１のギアガイド
４７９ｂ  第２のギアガイド
４７９ｃ  ギアリブ
４８０  ベース支持体
４８１  前部支持体
４８１ａ  第１の前部
４８１ｂ  第２の前部
４８１ｃ  ディスプレイ固定具
４８３  側部支持体
４８３ａ  ワイヤスルーホール
４８３ｂ  ワイヤリブ
４８５  後部支持体
４８８ａ  第１のドレンポート
４８８ｂ  第１のドレンポートブラケット
４８８ｃ  第２のドレンポート
４８８ｄ  第２のドレンポートブラケット
５１０  表示モジュール
５１０ａ  ディスプレイ
５１０ｂ  タッチ部
５１１  ディスプレイ取付部
５１１ａ  取付けベース
５１１ｂ  取付けフレーム
５１１ｃ  設置空間
５１１ｄ  締結具
５１１ｅ  開口
５１３  ディスプレイＰＣＢ
５１３ａ  第１の部分
５１３ｂ  第２の部分
５１３ｃ  ＬＥＤ素子
５１５  反射器
５１５ａ  反射器穴
５１６  保護フィルム
５１７  ディスプレイカバー
５１８ａ  第１の上面（上部）カバー
５１８ｂ  第１の下面（後部）カバー
５１８ｃ  表示モジュールの案内突起
５１８ｄ  ばね
５１８ｅ  第１の段部
５１８ｆ  第２の段部
５１８ｈ  表示モジュールの案内突起
５１８ｇ  カバー流路
５１９ａ  第２の上部（上面）カバー
５１９ｂ  第２の後部カバー
５１９ｃ  第１のくぼみ
５１９ｄ  ダンパー結合部
５１９ｅ  第２のくぼみ
５１９ｆ  ガイドスリット
５１９ｈ  表示モジュールの案内突起
５１９ｇ  ＰＣＢ取付部
５２０  電源ＰＣＢ
５２５  第１の締結部
５３０  メインＰＣＢ
５３５  第２の締結部
５４０  サブＰＣＢ
５４５  第３の締結部
５６０  有線充電モジュール
５６５  有線モジュールブラケット
５６６  有線モジュールチップ
５６７  無線モジュールブラケット
５６７ａ  溝
５６８  無線モジュールボス
５７０  Ｗｉ−Ｆｉ  ＰＣＢ
５８０  ＵＳＢポート
５８２  ＵＳＢカバー
６００  無線充電モジュール
６０３  第１のモジュール側部
６０３ａ  無線モジュールカプラー
６０４  第２のモジュール側部
６０４ａ  嵌合部
６１０  上側ケース
６２０  モジュール本体
６２１  モジュールＰＣＢ
６２１ａ  パワーデバイス
６３０  下側ケース
６４０  遮蔽部
６５０  コイルアセンブリ
６５１  上部コイル
６５１ａ  上部コイル巻線
６５１ｂ  上部コイル端
６５３  第１の下部コイル
６５３ａ  下部コイル巻線
６５３ｂ  第１の下部コイル端
６５５  第２の下部コイル
６５５ｂ  第２の下部コイル端
【図１】
2020016433.tif 000003
【図２】
2020016433.tif 000004
【図３】
2020016433.tif 000005
【図４】
2020016433.tif 000006
【図５】
2020016433.tif 000007
【図６】
2020016433.tif 000008
【図７】
2020016433.tif 000009
【図８】
2020016433.tif 000010
【図９】
2020016433.tif 000011
【図１０】
2020016433.tif 000012
【図１１】
2020016433.tif 000013
【図１２】
2020016433.tif 000014
【図１３】
2020016433.tif 000015
【図１４】
2020016433.tif 000016
【図１５】
2020016433.tif 000017
【図１６】
2020016433.tif 000018
【図１７ａ】
2020016433.tif 000019
【図１７ｂ】
2020016433.tif 000020
【図１８】
2020016433.tif 000021
【図１９】
2020016433.tif 000022
【図２０】
2020016433.tif 000023
【図２１】
2020016433.tif 000024
【図２２】
2020016433.tif 000025
【図２３】
2020016433.tif 000026
【図２４】
2020016433.tif 000027
【図２５】
2020016433.tif 000028
【図２６】
2020016433.tif 000029
【図２７】
2020016433.tif 000030
【図２８】
2020016433.tif 000031
【図２９】
2020016433.tif 000032
【図３０】
2020016433.tif 000033
【外国語明細書】
2020016433000001.pdf